(57)【要約】  映像情報再生部（１１、２１）の各々において、デジタルビデオデータ（ＶＤａ、ＶＤｂ）の変化に基づき、映像の表示が開始されたことを認識してフレーム番号（ＦＮａ、ＦＮｂ）を生成し（１０３、２０３）、一方の映像情報再生部（１１）において、フレーム同期信号（ＦＳａ）を出力するフレーム信号を合成し（１０４）、他方の映像情報再生部（２１）において、フレーム同期信号（ＦＳａ）を分離してフレーム番号（ＳＦＮａ）を生成し（２０５）、生成されたフレーム番号（ＳＦＮａ）と、第２の映像情報再生部（２１）において生成されたフレーム番号（ＦＮｂ）とを比較し、比較結果に基づきデコード基準クロック信号の周波数を制御する（２０６）。複数個の映像情報再生部（１１、２１）に接続された表示部（１５、２５）で、映像を表示する場合に、簡単な構成で映像を同期させることができる。
2012153434.tif 000002
【特許請求の範囲】
【請求項１】
デコード基準クロック信号を発生するクロック発生部と、
前記クロック発生部から供給される前記デコード基準クロック信号と、映像を含むコンテンツデータを入力とし、デジタルビデオデータ、垂直同期信号、水平同期信号、及びビデオクロックを出力し、また、前記コンテンツデータに対するデコードを開始したことを知らせるデコード開始信号を出力するデコーダと、
前記デジタルビデオデータ、前記垂直同期信号、及び前記ビデオクロックと、前記デコード開始信号を入力とし、前記デコード開始信号によってデコードが開始されたことを認識した後に、前記デジタルビデオデータの変化に基づき、映像の表示が開始されたことを認識し、前記垂直同期信号に基づきフレーム番号を生成するフレーム番号生成部と、
前記フレーム番号生成部で生成された前記フレーム番号と、前記デコーダから出力された前記垂直同期信号を合成してフレーム同期信号を出力するフレーム信号合成部と、
基準となるフレーム同期信号又は固定レベルの信号を入力とし、
前記基準となるフレーム同期信号が入力されたときは、当該入力されたフレーム同期信号を分離して基準となる垂直同期信号と基準となるフレーム番号とを出力するフレーム同期信号分離部と、
前記フレーム番号生成部で生成された前記フレーム番号と、前記フレーム同期信号分離部から出力された前記フレーム番号とを比較し、さらに、前記デコーダから出力された前記垂直同期信号と、前記フレーム同期信号分離部から出力された前記垂直同期信号の発生のタイミングを比較し、比較結果に基づき、クロック制御信号を発生するクロック制御部とを有し、
前記クロック発生部は、前記クロック制御部から出力される前記クロック制御信号に基づき、前記デコード基準クロック信号の周波数を調整する
ことを特徴とする映像情報再生部。
【請求項２】
請求項１に記載の映像情報再生部を複数個備え、
前記複数個の映像情報再生部のうちの一つである第１の映像情報再生部の前記フレーム信号合成部が出力する前記フレーム同期信号を、前記複数個の映像情報再生部の他のものである第２の映像情報再生部の前記フレーム同期信号分離部に、前記基準となる前記フレーム同期信号として入力するように構成した
ことを特徴とする映像情報再生装置。
【請求項３】
前記複数個の映像情報再生部の各々の前記フレーム同期信号分離部に前記固定レベルの信号が入力された場合、前記フレーム同期信号分離部は、所定の信号を出力し、
前記複数個の映像情報再生部の各々の前記クロック制御部は、当該映像情報再生部の前記フレーム同期信号分離部が前記所定の信号を出力した場合には、前記クロック制御信号として、前記クロック発生部に、前記クロックの周波数を維持させるための信号を出力する
ことを特徴とする
請求項２に記載の映像情報再生装置。
【請求項４】
前記フレーム番号生成部は、前記デコーダから出力されるデジタルビデオデータが、初期状態に対して変化したときに前記デコード開始後の最初のフレームと判断することを特徴とする請求項１乃至３のいずれかに記載の映像情報再生部。
【請求項５】
前記フレーム番号生成部は、前記デコーダから出力されるデジタルビデオデータの初期状態を記憶し、前記デコーダから出力されるデジタルビデオデータが前記記憶された初期状態に対して変化したときに前記デコード開始後の最初のフレームと判断する
ことを特徴とする請求項１乃至３のいずれかに記載の映像情報再生部。
【請求項６】
前記デジタルビデオデータが映像の赤色成分、緑色成分、及び青色成分を表すデジタルデータを含み、
前記フレーム番号生成部は、前記デコーダからから出力される前記赤色成分、緑色成分、及び青色成分のデジタルデータのうちの少なくとも一つの、最下位ビットのみに基づいて前記デジタルビデオデータの変化の有無を判断することを特徴とする請求項４又は５に記載の映像情報再生部。
【請求項７】
前記第１の映像情報再生部の前記フレーム同期信号合成部が出力するフレーム同期信号を、前記第１の映像情報再生部の前記フレーム同期信号分離部に前記基準となるフレーム同期信号として入力し、
前記第１の映像情報再生部の前記フレーム同期信号分離部は、前記第１の映像情報再生部の前記フレーム同期信号合成部から入力されたフレーム同期信号を分離して、前記基準となるフレーム番号及び前記基準となる垂直同期信号を生成し、
前記第１の映像情報再生部の前記クロック制御部は、前記第１の映像情報再生部の前記フレーム番号生成部が出力した前記フレーム番号を、前記第１の映像情報再生部の前記フレーム同期信号分離部が出力した前記フレーム番号と比較し、前記第１の映像情報再生部の前記デコーダが出力した前記垂直同期信号と前記第１の映像情報再生部の前記フレーム同期信号分離部が出力した前記垂直同期信号の発生のタイミングを比較する
ことを特徴とする請求項２又は３に記載の映像情報再生装置。
【請求項８】
デコード基準クロック信号を発生するクロック発生部と、
前記クロック発生部から供給される前記デコード基準クロック信号と、映像を含むコンテンツデータを入力とし、デジタルビデオデータ、垂直同期信号、水平同期信号、及びビデオクロックを出力し、また、前記コンテンツデータに対するデコードを開始したことを知らせるデコード開始信号を出力するデコーダとを備える映像情報再生部を複数個備えた映像情報再生装置において、
前記複数個の映像情報再生部における映像の出力を同期させる同期制御方法において、
前記複数個の映像情報再生部の各々において、
前記デジタルビデオデータ、前記垂直同期信号、及び前記ビデオクロックと、前記デコード開始信号を入力とし、前記デコード開始信号によってデコードが開始されたことを認識した後に、前記デジタルビデオデータの変化に基づき、映像の表示が開始されたことを認識し、前記垂直同期信号に基づきフレーム番号を生成するフレーム番号生成ステップを実行し、
前記複数個の映像情報再生部のうちの一つである第１の映像情報再生部において、
前記フレーム番号生成ステップで生成された前記フレーム番号と、前記デコーダから出力された前記垂直同期信号を合成してフレーム同期信号を出力するフレーム信号合成ステップを実行し、
前記複数の映像情報再生部の他の一つである第２の映像情報再生部において、
前記第１の映像情報再生部における前記フレーム信号合成ステップで生成された前記フレーム同期信号を分離して垂直同期信号とフレーム番号とを生成するフレーム同期信号分離ステップと、
前記フレーム番号生成ステップで生成された前記フレーム番号と、前記フレーム同期信号分離ステップで生成された前記フレーム番号とを比較し、さらに、前記第２の映像情報再生部の前記デコーダから出力された前記垂直同期信号と、前記フレーム同期信号分離ステップで生成された前記垂直同期信号の発生のタイミングを比較し、比較結果に基づきクロック制御信号を発生するクロック制御ステップとを実行し、
前記第２の映像情報再生部の前記クロック発生部は、前記クロック制御ステップで生成された前記クロック制御信号に基づき、前記デコード基準クロック信号の周波数を調整する
同期制御方法。
【請求項９】
前記デジタルビデオデータが映像の赤色成分、緑色成分、及び青色成分を表すデジタルデータを含み、
前記第１及び第２の映像情報再生部の各々における前記フレーム番号生成ステップは、当該映像情報再生部の前記デコーダから出力される前記赤色成分、緑色成分、及び青色成分のデジタルデータうちの少なくとも１つの、最下位ビットのみに基づいて前記デジタルビデオデータの変化の有無を判断する
ことを特徴とする請求項８に記載の同期制御方法。
【発明の詳細な説明】
【技術分野】
【０００１】
この発明は、映像情報再生部、映像情報再生装置及び同期再生方法に関し、特に、再生するコンテンツの映像信号を複数の映像情報再生部で互いに同期して出力する映像情報再生装置、及び同期制御方法、並びにそのような映像情報再生装置で用いられる映像情報再生部に関する。
【背景技術】
【０００２】
広告媒体としてのデジタルサイネージシステムは、表示する映像と、表示の制御にデジタル技術を活用したシステムであり、例えば、デパート、スーパーなどの商業施設の壁面や、鉄道、道路などの公共施設の看板等に設置されている。一般に表示される映像コンテンツは、デジタル化された映像データを、ＭＰＥＧ２やＨ．２６４等に準拠した符号化技術で圧縮し、ネットワーク等を介して配信し、一時的に保存したあとに再生する方法や、配信されたら直ちにリアルタイムに再生する方法がある。また、デジタルサイネージシステムでは、遠くからでも視聴することができるように複数の表示部を用いて大きな画面を構成する場合や、設置場所にあわせて複数の表示部を横や縦に並べてそれぞれの表示を連動して行うなど多様な映像表現を行うことができる。【０００３】
このような複数の表示部を使って映像の表示を行う際に、一つの映像を分割してそれぞれの表示部に表示するときに表示映像を同期させる方法として、映像をデジタルビデオデータとしてメモリに保存し、それぞれの表示部に対応する画像処理部が、タイミングを合わせてデジタルビデオデータを読み出す方法が提案されている（例えば、特許文献１参照）。【０００４】
また、デジタル符号化されたコンテンツを再生する複数の再生部をそれぞれ対応する表示部に接続して画面の表示を行う際に、それぞれの再生部で復号されるデジタルビデオ信号を同期させる方法として、複数の再生部のうち一つをマスタの再生部とし、それ以外をスレーブの再生部とし、マスタの再生部から各スレーブの再生部に基準クロックを送信して、各スレーブの再生部では、マスタの再生部から送信されたクロックに同期してデータを復号し、画面の表示を行う方法が提案されている（例えば、特許文献２参照）。
【先行技術文献】
【特許文献】
【０００５】
【特許文献１】特開２００３−１５３１２８号公報
【特許文献２】特開２００１−２６８５１７号公報
【発明の概要】
【発明が解決しようとする課題】
【０００６】
表示部に表示させる映像のデジタルビデオデータをメモリに保存して読み出しのタイミングを合わせる方法では、デジタルビデオデータを記憶するメモリの容量が極めて大きくなるという問題がある。例えば、１９２０×１０８０ドットの表示部を４つ並べて、３８４０×２１６０ドットの大画面を構成する表示システムとすると、一つのデジタルビデオデータは、３８４０×２１６０ドットであり、このような大量のデータを記憶するメモリが必要となる。【０００７】
一方、一つの再生部から別の再生部へ高周波数のクロックを供給すると、信号の減衰、波形のなまりなどの問題があり、これを避けるには配線に特殊な工夫が必要であるという問題がある。【０００８】
また、ＭＰＥＧ２やＨ．２６４に準拠する映像信号をデコードする再生部では、一般に、コンテンツのデコードを開始してから、デジタルビデオ信号が出力されるまでの時間を、ＰＴＳ（Ｐｒｅｓｅｎｔａｔｉｏｎ  Ｔｉｍｅ  Ｓｔａｍｐ）を用いて調整を行っている。しかしながら、基準クロック信号のジッター、不十分な精度により、デジタルビデオ信号出力のタイミングがずれることがあり、同じコンテンツを、複数の再生部に同じタイミングで入力しても、表示される映像信号の同期がとれなくなり、複数の再生部で映像出力のタイミングがあわなくなり、品位の悪い表示となってしまうことがある。【０００９】
本発明は、上記の課題を解決するためになされたものであり、その目的は、複数の映像情報再生部で構成される映像情報再生装置がコンテンツの映像信号を出力する際に、それぞれの映像情報再生部に対応する表示部で表示される映像が互いに同期するように映像信号を出力することを可能にすることである。
【課題を解決するための手段】
【００１０】
本発明の映像情報再生部は、
デコード基準クロック信号を発生するクロック発生部と、
前記クロック発生部から供給される前記デコード基準クロック信号と、映像を含むコンテンツデータを入力とし、デジタルビデオデータ、垂直同期信号、水平同期信号、及びビデオクロックを出力し、また、前記コンテンツデータに対するデコードを開始したことを知らせるデコード開始信号を出力するデコーダと、
前記デジタルビデオデータ、前記垂直同期信号、及び前記ビデオクロックと、前記デコード開始信号を入力とし、前記デコード開始信号によってデコードが開始されたことを認識した後に、前記デジタルビデオデータの変化に基づき、映像の表示が開始されたことを認識し、前記垂直同期信号に基づきフレーム番号を生成するフレーム番号生成部と、
前記フレーム番号生成部で生成された前記フレーム番号と、前記デコーダから出力された前記垂直同期信号を合成してフレーム同期信号を出力するフレーム信号合成部と、
基準となるフレーム同期信号又は固定レベルの信号を入力とし、
前記基準となるフレーム同期信号が入力されたときは、当該入力されたフレーム同期信号を分離して基準となる垂直同期信号と基準となるフレーム番号とを出力するフレーム同期信号分離部と、
前記フレーム番号生成部で生成された前記フレーム番号と、前記フレーム同期信号分離部から出力された前記フレーム番号とを比較し、さらに、前記デコーダから出力された前記垂直同期信号と、前記フレーム同期信号分離部から出力された前記垂直同期信号の発生のタイミングを比較し、比較結果に基づき、クロック制御信号を発生するクロック制御部とを有し、
前記クロック発生部は、前記クロック制御部から出力される前記クロック制御信号に基づき、前記デコード基準クロック信号の周波数を調整する
ことを特徴とする。
【発明の効果】
【００１１】
本発明によれば、一つの映像情報再生部のデコーダでデコードし表示している映像のフレーム番号と垂直同期信号と、他の映像情報再生部のデコーダでデコードし表示している映像のフレーム番号と垂直同期信号とを比較して２つの映像の同期を取ることができるので、品位の高い映像表示を行うことができる。【００１２】
また、上記のフレーム番号は、表示のために使用されるデジタルビデオデータ、及び垂直同期信号を用いて生成することができるので、汎用的なデコーダを使用することができる。
【図面の簡単な説明】
【００１３】
【図１】この発明の実施の形態１の映像情報再生装置の構成を示すブロック図である。
【図２】図１のフレーム番号生成部１０３の構成例を示すブロック図である。
【図３】（ａ）〜（ｅ）は、実施の形態１の第１の映像情報再生部１０内で生成されるデジタルビデオデータＶＤａ、ビデオクロックＶＣａ、垂直同期信号ＶＳａ、水平同期信号ＨＳａ、及びデータイネーブル信号ＤＥａの関係を説明する図である。
【図４】（ａ）〜（ｅ）は、図３（ａ）〜（ｅ）のうち、図３（ｃ）に示される水平同期信号ＨＳａの一つのアクティブ期間の前後の部分を、時間軸方向に拡大して示す図である。
【図５】（ａ）〜（ｅ）は、図３（ａ）〜（ｅ）のうち、図３（ｂ）に示される垂直同期信号ＶＳａが、ローからハイに変化した時点直後の部分を、時間軸方向に拡大して示す図である。
【図６】（ａ）〜（ｃ）は、図１のデコーダ１０１によるデコード開始時に出力されるデジタルビデオデータを示す図である。
【図７】図１のフレーム同期信号合成部１０４の構成例を示すブロック図である。
【図８】（ａ）〜（ｅ）は、図１のフレーム同期信号合成部１０４によるフレーム同期信号の生成を示す図である。
【図９】図１のフレーム同期信号分離部２０５の構成例を示すブロック図である。
【図１０】（ａ）〜（ｅ）は、図１のフレーム同期信号分離部２０５における、フレーム同期信号のラッチ処理を示す図である。
【図１１】（ａ）〜（ｃ）は、図１のフレーム同期信号分離部２０５に入力される、フレーム同期信号の１つのアクティブ期間及びその前後の部分を示す図である。
【図１２】（ａ）〜（ｃ）は、図１のクロック制御部２０６における比較のタイミングを示す図である。
【図１３】図１のクロック制御部２０６における処理を示すフロー図である。
【図１４】この発明の実施の形態２の映像情報再生装置の構成を示すブロック図である。
【図１５】実施の形態２の映像情報再生装置の変形例の構成の特徴部分を示すブロック図である。
【図１６】この発明の実施の形態３の映像情報再生装置で用いられるフレーム番号生成部の構成例を示すブロック図である。
【図１７】この発明の実施の形態４の映像情報再生装置の構成を示すブロック図である。
【図１８】実施の形態４の映像情報再生装置による表示映像の例を示す図である。
【発明を実施するための形態】
【００１４】
以下本発明の実施の形態を詳細に説明する。
【００１５】
実施の形態１．
図１は、この発明の実施の形態１の映像情報再生装置を示す。図示の映像情報再生装置は、第１の映像情報再生部１０と、第２の映像情報再生部２０とを有し、これらはそれぞれネットワーク９０に接続され、ネットワーク９０を介してコンテンツデータＣＮＴが入力される。
第１の映像情報再生部１０に入力されるコンテンツデータＣＮＴと、第２の映像情報再生部２０に入力されるコンテンツデータＣＮＴは互いに同じ内容のものである場合もあり、また互いに異なる内容のものである場合もある。
【００１６】
以下に詳しく述べるように、本実施の形態では、第１の映像情報再生部１０がフレーム同期信号ＦＳａを出力し、第２の映像情報再生部２０は、第１の映像情報再生部１０から出力されるフレーム同期信号ＦＳａに同期するように、内部の動作のタイミングを調整する。
従って、動作のタイミングに関し、第１の映像情報再生部１０がマスタとして動作し、第２の映像情報再生部２０がスレーブとして動作すると把握することができる。
【００１７】
最初に、映像情報再生部１０について説明する。
映像情報再生部１０は、デコーダ１０１と、デコーダ制御部１０２、フレーム番号生成部１０３と、フレーム同期信号合成部１０４と、クロック発生部１０７とを有し、表示部１５に映像を表示させるための信号を供給する。
【００１８】
デコーダ１０１は、コンテンツデータＣＮＴを入力として、クロック発生部１０７からデコード基準クロックＲＣａを受けて、デジタルビデオ信号ＤＶＳａを生成する。デコーダ１０１から出力されるデジタルビデオ信号ＤＶＳａは、映像信号における赤色成分（Ｒｅｄ）、緑色成分（Ｇｒｅｅｎ）、青色成分（Ｂｌｕｅ）を表すデジタルデータがそれぞれ８ビットデータで構成されたデジタルビデオデータＶＤａと、基準となるビデオクロックＶＣａと、垂直同期信号ＶＳａと、水平同期信号ＨＳａと、データ有効期間を示すデータイネーブル信号ＤＥａを含む。
デコーダ１０１はまた、デコードを開始したことを知らせるデコード開始信号ＤＢａを出力する。
【００１９】
デコーダ制御部１０２は、デコーダ１０１のデコード開始、停止の制御を行う。
表示部１５は、デジタルビデオ信号ＤＶＳａを入力とし、映像を表示する。
【００２０】
フレーム番号生成部１０３は、デコーダ１０１から出力されるデジタルビデオ信号ＤＶＳａ及びデコード開始信号ＤＢａを入力とし、デコード開始信号ＤＢａに基づき、デジタルビデオデータＶＤａ、ビデオクロックＶＣａ、及び垂直同期信号ＶＳａを用いてフレーム番号ＦＮａを生成し、該フレーム番号ＦＮａをフレーム同期信号合成部１０４に供給する。
【００２１】
フレーム同期信号合成部１０４は、フレーム番号生成部１０３で生成されるフレーム番号ＦＮａとデコーダ１０１から出力される垂直同期信号ＶＳａを合成して、合成結果をフレーム同期信号ＦＳａとして出力する。フレーム番号ＦＮａと垂直同期信号ＶＳａの合成は、フレーム番号ＦＮａを表すパルス列を垂直同期信号ＶＳａの特定の部分に重畳することで行われる。
【００２２】
クロック発生部１０７は、映像情報再生部１０内の各部にクロックを供給する。該クロックには、デコーダ１０１に供給されるデコード基準クロックＲＣａと、フレーム同期信号合成部１０４に供給される合成基準クロックＲＳａが含まれる。
【００２３】
次に、映像情報再生部２０について説明する。
映像情報再生部２０は、デコーダ２０１と、デコーダ制御部２０２、フレーム番号生成部２０３と、フレーム同期信号分離部２０５と、クロック制御部２０６と、クロック発生部２０８とを有し、表示部２５に映像を表示させるための信号を供給する。
【００２４】
デコーダ２０１は、コンテンツデータＣＮＴを入力として、クロック発生部２０８からデコード基準クロックの供給を受けて、デジタルビデオ信号ＤＶＳｂを生成する。デコーダ２０１から出力されるデジタルビデオ信号ＤＶＳｂは、映像情報再生部１０のデコーダ１０１から出力されるデジタルビデオ信号ＤＶＳａと同様に、映像信号における赤色成分、緑色成分、青色成分を表すデジタルデータがそれぞれ８ビットデータで構成されたデジタルビデオデータＶＤｂと、基準となるビデオクロックＶＣｂと、垂直同期信号ＶＳｂと、水平同期信号ＨＳｂと、データ有効期間を示すデータイネーブル信号ＤＥｂを含む。
デコーダ２０１はまた、デコードを開始したことを知らせるデコード開始信号ＤＢｂを出力する。
【００２５】
デコーダ制御部２０２は、デコーダ２０１のデコード開始、停止の制御を行う。
表示部２５は、デジタルビデオ信号ＤＶＳａを入力とし、映像を表示する。
【００２６】
フレーム番号生成部２０３は、デコーダ２０１から出力されるデジタルビデオ信号ＤＶＳｂ及びデコード開始信号ＤＢｂを入力とし、デコード開始信号ＤＢｂに基づき、デジタルビデオデータＶＤｂ、ビデオクロックＶＣｂ、及び垂直同期信号ＶＳｂを用いてフレーム番号ＦＮｂを生成し、該フレーム番号ＦＮｂをクロック制御部２０６に供給する。
【００２７】
フレーム同期信号分離部２０５は、映像情報再生部１０のフレーム同期信号合成部１０４から出力され、信号線１１５を介して伝達されるフレーム同期信号ＦＳａを受信し、フレーム同期信号ＦＳａを分離して、垂直同期信号ＬＶＳａ及びフレーム番号ＬＦＮａを生成する。
【００２８】
クロック制御部２０６は、フレーム番号生成部２０３から出力されるフレーム番号ＦＮｂと、デコーダ２０１から出力される垂直同期信号ＶＳｂと、フレーム同期信号分離部２０５から出力されるフレーム番号ＬＦＮａ及び垂直同期信号ＬＶＳａを入力とし、フレーム番号ＦＮｂとフレーム番号ＬＦＮａを比較し、垂直同期信号ＶＳｂの発生のタイミングと垂直同期信号ＬＶＳａの発生のタイミングを比較し、これらの比較の結果に基づき、クロック制御信号ＡＣｂを出力する。
【００２９】
クロック制御信号ＡＣｂは、
フレーム番号ＦＮｂがフレーム番号ＬＦＮａよりも大きい場合、及びフレーム番号ＦＮｂがフレーム番号ＬＦＮａと一致し、かつ垂直同期信号ＶＳｂが垂直度同期信号ＬＶＳａよりも進んでいる場合には、クロック発生部２０８のクロック周波数を低めるよう制御し、
フレーム番号ＦＮｂがフレーム番号ＬＦＮａよりも小さい場合、及びフレーム番号ＦＮｂがフレーム番号ＬＦＮａと一致し、かつ垂直同期信号ＶＳｂが垂直度同期信号ＬＶＳａよりも遅れている場合には、クロック発生部２０８のクロック周波数を高めるよう制御し、
フレーム番号ＦＮｂがフレーム番号ＬＦＮａと一致し、かつ垂直同期信号ＶＳｂの発生のタイミングが垂直同期信号ＬＶＳａの発生のタイミングに一致している場合には、クロック発生部２０８のクロック周波数をそれまでと同じ値に維持する（変更させない）ように制御するものである。
【００３０】
クロック発生部２０８は、クロック制御部２０６が出力するクロック制御信号ＡＣｂに基づいて周波数が調整されたクロックを発生する。クロック発生部２０８が発生するクロックは、映像情報再生部２０内の各部に供給される。該クロックには、デコーダ２０１に供給されるデコード基準クロックＲＣｂとフレーム同期信号分離部２０５に供給される分離基準クロックＲＲｂ（４０ＭＨｚ）とが含まれる。
クロック発生部２０８は、周波数を変更可能なクロック発振器、例えば電圧制御水晶発振器（ＶＣＸＯ：Ｖｏｌｔａｇｅ  Ｃｏｎｔｒｏｌｌｅｄ  Ｘｔａｌ  Ｏｓｃｉｌｌａｔｏｒ）で構成される。
【００３１】
次に、図１の映像情報再生装置の動作について詳細に説明する。
映像情報再生部１０のデコーダ１０１は、デコーダ制御部１０２の制御に基づき、ネットワーク９０から入力されるコンテンツデータＣＮＴに対するデコードを開始する。
デコードの開始時に、デコーダ１０１は、デコードを開始したことを知らせるデコード開始信号ＤＢａを出力する。
【００３２】
このデコード開始信号ＤＢａは、コンテンツデータＣＮＴの受信に応じて出力してもよい。また、デコーダ制御部１０２がデコーダ１０１にデコードを開始するように制御したことに応じて出力してもよい。
【００３３】
デコーダ１０１は、コンテンツデータＣＮＴをデコードし、デジタルビデオデータＶＤａ、ビデオクロックＶＣａ、垂直同期信号ＶＳａ、水平同期信号ＨＳａ、及びデータイネーブル信号ＤＥａを含むデジタルビデオ信号ＤＶＳａを出力する。表示部１５は、デジタルビデオ信号ＤＶＳａを受信して、映像の表示を行う。
【００３４】
次に、図２を参照してフレーム番号生成部１０３の構成例及び動作を説明する。
図２に示されるフレーム番号生成部１０３は、ゲート部１３１と、画素値判定部１３２と、画素カウンタ１３３と、比較部１３４と、フレームカウンタ１３５とを有する。
フレーム番号生成部１０３は、デジタルビデオデータＶＤａ、ビデオクロックＶＣａ、垂直同期信号ＶＳａ、水平同期信号ＨＳａ、データイネーブル信号ＤＥａ、及びデコード開始信号ＤＢａを入力とする。
【００３５】
デジタルビデオデータＶＤａ、ビデオクロックＶＣａ、垂直同期信号ＶＳａ、水平同期信号ＨＳａ、及びデータイネーブル信号ＤＥａの関係を、図３（ａ）〜（ｅ）を用いて説明する。図３（ａ）において、ビデオクロックＶＣａは、他の信号の基準となる信号であり、常にハイレベルとローレベルと間で変化を繰り返す信号、即ちパルス列である。
デコーダ１０１が、クロック発生部１０７から供給されるデコード基準クロックＲＣａに同期して動作するので、ビデオクロックＶＣａは、デコード基準クロックＲＣａに同期したものとなる。
【００３６】
図３（ｂ）に示される垂直同期信号ＶＳａは、フレームの区切りを示す同期信号であり、図３（ｃ）に示される水平同期信号ＨＳａは、横のラインの区切りを示す同期信号であり、ともに表示部１５で映像を表示する基準信号である。図示の例では、垂直同期信号ＶＳａ及び水平同期信号ＨＳａはいずれもローの期間がアクティブな期間（垂直同期信号アクティブ期間ｐＶＳａ、水平同期信号アクティブ期間ｐＨＳａ）である。垂直同期信号ＶＳａに比べて水平同期信号ＨＳａは周波数が高い。
図４（ａ）〜（ｅ）は、図３（ｃ）中の一つの水平同期信号の前後の部分の信号波形を時間軸方向に拡大して示す図である。
図５（ａ）〜（ｅ）は、図３（ｂ）の垂直同期信号が、ローからハイに変化した時点の直後の期間における信号波形を時間軸方向に拡大した図である。
【００３７】
図３（ｄ）に示されるデータイネーブル信号ＤＥａは、デジタルビデオデータの有効範囲を示す信号であり、垂直同期信号ＶＳａと水平同期信号ＨＳａがともにハイ（無効）のときに限り有効（ハイ）になる。より詳しくは、図３（ｅ）に示される、垂直同期信号アクティブ期間ｐＶＳａを含む垂直ブランキング期間ｐＶＢａと、図４（ｅ）に示される、水平同期信号アクティブ期間ｐＨＳａを含む水平ブランキング期間ｐＨＢａ以外の期間で有効（ハイ）となる。
図３（ｅ）に示されるデジタルビデオデータＶＤａは、データイネーブル信号ＤＥａがハイであるときに、表示部１５で表示される映像の各画素のための有効なデータとして使用される。
【００３８】
フレーム番号生成部１０３は、デコード開始信号ＤＢａに基づき、デコードが開始されたことを認識した後、垂直同期信号ＶＳａが有効から無効（ローからハイ）になった時点以降、次に有効（ハイ）になるまでの１フレームの間、データイネーブル信号ＤＥａに基づいて、デジタルビデオデータＶＤａの有効データ（データイネーブル信号ＤＥａにより有効であることが示される期間（有効期間）中のデータ）を読み取る。そして、各フレームにおいて有効データが０以外の値になった画素の数をカウントし、各フレームの有効期間中に、０以外の値になった画素の数が所定の閾値Ｃｔａ以上になったときに、映像に変化があった、即ち、映像の表示が開始されたと判断する。
【００３９】
フレーム番号生成部１０３の上記の動作のため、ゲート部１３１は、デコード開始信号ＤＢａによりデコード開始が通知された後、データイネーブル信号ＤＥａが有効（ハイ）であるときに限り、デジタルビデオデータＶＤａを通過させる。
画素値判定部１３２は、各画素の値が０以外の値になったかどうかを判定し、０以外の値になったときはそのことを示す判定信号を出力する。この判定信号は、画素値が０以外の値であるときに、第１の値、例えば１を表し、そうでないときは第２の値、例えば０を表す。
画素カウンタ１３３は、垂直同期信号ＶＳａで初期値にリセットされ、その後、画素値判定部１３２から、画素値が０以外の値であることを示す信号が出力された回数を数える。
比較部１３４は、画素カウンタ１３３のカウント値が所定の閾値Ｃｔａ以上かどうかの判定を行い、閾値Ｃｔａ以上になったらそのことを示す信号を出力する。
【００４０】
以下、この点をより詳しく説明する。図６（ａ）〜（ｃ）は、デコーダ１０１がデコードを開始した後に出力するデジタルビデオデータＶＤａの変化を説明する図である。図６（ａ）〜（ｃ）において、横軸は時間であり、デコーダ１０１がデコードを開始した時点が符号ｔ４１で示されている。
デコード開始の時点ｔ４１以降、デジタルビデオデータＶＤａ、ビデオクロックＶＣａ、垂直同期信号ＶＳａ、水平同期信号ＨＳａ、及びデータイネーブル信号ＤＥａを含むデジタルビデオ信号ＤＶＳａがデコーダ１０１から出力される（図６（ｃ））。
【００４１】
デコード開始直後は、デコーダ１０１はコンテンツデータの最初の映像をデコード処理しており、デジタルビデオデータＶＤａの出力は直ちにはできない（この期間が図６（ｂ）に符号ｐ４２で示されている）。そのため、この期間ｐ４２中は、デコーダ１０１は、デジタルデータとして、初期値を出力する（図６（ｂ）のｄ４３）。一般にこのときの初期値としては０（信号レベルでは、全ビットロー）が出力される。即ち、初期状態では、デジタルデータにより表されるフレーム内の画素の値がすべて０である。
デコーダ１０１がデジタルビデオデータＶＤａを出力できるようになった後、有効な映像データ（入力されたコンテンツＣＮＴの内容を表すデータ）の出力が開始される（図６（ｂ）のｔ４５）。
【００４２】
このとき、表示される映像が黒画(画面全体に亘り、画素値が０)でなければ、０以外の画素値を表すデータが出力されることになり、フレーム番号生成部１０３は、画素値判定部１３２でこの変化を検知乃至認識し、画素カウンタ１３３でデジタルビデオデータＶＤａの有効データが０以外の値になった画素の数をカウントして、比較部１３４で各フレームにおいて、０以外の値になった画素の数が閾値Ｃｔａ以上になったら（ｔ４６）、映像表示が開始されたと判断する。
【００４３】
ここで、０以外の値になった画素の数が閾値Ｃｔａ以上になったことを条件として映像表示が開始されたと判断する理由は、デコーダ１０１から最初の映像をデコードしている期間（図６（ａ）のｐ４２）でも、ノイズ等の理由で有効データが０以外の値になることがあることも考えられるからであり、映像に変化があったことが確実であること確認するためである。
【００４４】
このように構成することで、フレーム番号生成部１０３によって、映像表示が開始されたことを検出することができ、その後フレーム番号のカウントを開始する（ｔ４７）。即ち、そのときのフレーム番号を初期値、例えば「１」とする。その後は、垂直同期信号ＶＳａの同期のタイミング（垂直同期信号アクティブ期間ｐＶＳａ）毎に、フレーム番号を１ずつ増加させることで、フレーム番号のカウントを行う。
このような動作のため、フレームカウンタ１３５は、デコード開始信号ＤＢａで初期値にリセットされ、比較部１３４により映像表示が開始されたことを示す信号が出力されると、そのときのカウント値を初期値、例えば「１」とし、その後垂直同期信号アクティブ期間ｐＶＳａが発生するたびにカウントアップし、カウント値をフレーム番号ＦＮａとして出力する。
【００４５】
なお、図３（ａ）に示されるビデオクロックＶＣａ、及び図３（ｃ）に示される水平同期信号ＨＳａは、フレーム番号生成部１０３内の各部の動作の同期を取るために用いられるが、これらの信号の各部への入力は図示を省略している。
【００４６】
フレーム同期信号合成部１０４は、フレーム番号生成部１０３で生成されたフレーム番号ＦＮａと、デコーダ１０１から出力された垂直同期信号ＶＳａを用いて、フレーム同期信号ＦＳａを生成する。これを、図７を用いて説明する。
【００４７】
図７に示されるフレーム同期信号合成部１０４は、フレーム番号レジスタ１５１と、フレーム番号信号生成部１５２と、信号合成部１５３とを有する。
フレーム番号レジスタ１５１は、フレーム番号生成部１０３で生成されたフレーム番号ＦＮａを一時的に保存する。
フレーム番号信号生成部１５２は、クロック発生部１０７から供給される合成基準クロックＲＳａと、フレーム番号レジスタ１５１に保存されているフレーム番号ＦＮａに基づき、フレーム番号ＦＮａを表すフレーム番号信号ＳＦＮａを生成する。
信号合成部１５３は、フレーム番号信号生成部１５２で生成されたフレーム番号信号ＳＦＮａを、デコーダ１０１から出力された垂直同期信号ＶＳａに合成し、合成の結果をフレーム同期信号ＦＳａとして出力する。
【００４８】
以下、この点について図８（ａ）〜（ｅ）を用いて説明する。
図８（ａ）に示される合成基準クロックＲＳａとしては、例えば、５ＭＨｚのクロックが使用される。フレーム番号レジスタ１５１の値が、「０ｘ００５１」の場合、下位ビットから順に伝送すると、「０ｂ１０００１０１０００００００００」となり、図８（ｂ）に示されるフレーム番号信号ＳＦＮａが生成される。
【００４９】
図７の信号合成部１５３は、上記のようにフレーム番号信号生成部１５２で生成されたフレーム番号信号ＳＦＮａ（図８（ｂ））を、垂直同期信号ＶＳａ（図８（ｃ））と合成する。
信号合成部１５３は、この合成に当たり、垂直ブランキング期間ｐＶＢａ（図８（ｅ））中の、垂直同期信号ＶＳａの立ち上がりから一定期間、例えば１μ秒の期間（図８（ｄ）に符号ｐ５２で示す期間）をあけて、それに続く期間ｐ５３にフレーム番号信号ＳＦＮａを重畳する。垂直同期信号アクティブ期間ｐ５１（図３（ｂ）の期間ｐＶＳａに相当する）以外では、垂直同期信号は元来ハイレベルであるが、フレーム番号信号ＳＦＮａの重畳により、図示の例では、フレーム番号信号ＳＦＮａが０である期間はローとなり、フレーム番号信号ＳＦＮａが１である期間ではハイとなる。
【００５０】
図８（ｅ）の符号ｐ５５は、垂直ブランキング期間ｐＶＢａ以外の期間を示す。この期間ｐ５５のうち、水平ブランキング期間ｐＨＢａ以外の期間が有効データ期間（図３（ｄ）、図５（ｄ）のデータイネーブル信号ＤＥａがハイとなる期間）である。
【００５１】
垂直同期信号のアクティブ期間ｐ５１は、一般に１水平走査期間以上の長さがあり、数十μ秒以上のロー期間となる。また、垂直同期信号のフレーム番号を重畳する部分ｐ５３は、３．２μ秒の長さを有する。これは、５ＭＨｚのクロック（１周期は０．２μ秒）で１６ビットのデータを表すので、０．２μ秒×１６により、３．２μ秒が得られることから分かる。このように、フレーム番号重畳部分ｐ５３は、垂直同期信号のロー期間（アクティブ期間）ｐ５１よりも短い。
【００５２】
次に、映像情報再生部２０の動作について説明する。
映像情報再生部２０のデコーダ２０１は、デコーダ制御部２０２の制御に基づき、ネットワーク９０から入力されるコンテンツデータＣＮＴに対するデコードを開始する。
デコードの開始時に、デコーダ２０１は、デコードを開始したことを知らせるデコード開始信号ＤＢｂを出力する。
【００５３】
このデコード開始信号ＤＢｂは、コンテンツデータＣＮＴの受信に応じて出力してもよい。また、デコーダ制御部２０２がデコーダ２０１にデコードを開始するように制御したことに応じて出力してもよい。
また、デコーダ制御部２０２は、ネットワーク９０を介してデコーダ制御部１０２と動作のタイミングについての情報の授受を行い、デコーダ制御部１０２と同時にデコードを開始するように制御してもよい。
【００５４】
デコーダ２０１は、コンテンツデータＣＮＴをデコードし、デジタルビデオデータＶＤｂ、ビデオクロックＶＣｂ、垂直同期信号ＶＳｂ、水平同期信号ＨＳｂ、及びデータイネーブル信号ＤＥｂを含むデジタルビデオ信号ＤＶＳｂを出力する。表示部２５は、デジタルビデオ信号ＤＶＳｂを受信して、映像の表示を行う。
【００５５】
フレーム番号生成部２０３の構成及び動作は、映像情報再生部１０のフレーム番号生成部１０３と同様であり、デジタルビデオデータＶＤｂ、ビデオクロックＶＣｂ、垂直同期信号ＶＳｂ、水平同期信号ＨＳｂ、データイネーブル信号ＤＥｂ、及びデコード開始信号ＤＢｂを入力とする。
【００５６】
フレーム番号生成部２０３は、デコード開始信号ＤＢｂに基づき、デコードが開始されたことを認識した後、垂直同期信号ＶＳａが有効から無効（ローからハイ）になった時点以降、次に有効（ハイ）になるまでの１フレームの間、データイネーブル信号ＤＥｂに基づいてデジタルビデオデータＶＤｂの有効データ（データイネーブル信号ＤＥａにより有効であることが示される期間（有効期間）中のデータ）を読み取る。そして、各フレームにおいて有効データが０以外の値になった画素の数をカウントし、各フレーム期間中に、０以外の値になった画素の数が、所定の閾値Ｃｔｂ以上になったときに、映像に変化があった、即ち、映像の表示が開始されたと判断する。
なお、本例では、第２の表示部２５が第１の表示部１５と同じ画面サイズ（画面中の画素数）を有し、第２の映像情報再生部２０で用いられる閾値Ｃｔｂが、第１の映像情報再生部１０で用いられる閾値Ｃｔａと同じである場合を想定しているが、第２の表示部２５と第１の表示部１５とが画面サイズが異なる場合には、閾値Ｃｔｂが閾値Ｃｔａと異なっていても良い。
【００５７】
このように構成することで、フレーム番号生成部２０３によって、映像表示が開始されたことを検出することができ、そのときのフレーム番号を初期値、例えば「１」とする。その後は、垂直同期信号ＶＳｂの同期のタイミング（垂直同期信号アクティブ期間ｐＶＳｂ）毎に、フレーム番号を１ずつ増加させることで、フレーム番号のカウントを行う。
【００５８】
次に、フレーム同期信号分離部２０５の動作について説明する。フレーム同期信号分離部２０５は、映像情報再生部１０のフレーム同期信号合成部１０４から出力されるフレーム同期信号ＦＳａを分離して、フレーム番号及び垂直同期信号を復元し、出力する。フレーム同期信号分離部２０５で復元されるフレーム番号及び垂直同期信号は、信号伝送及び信号処理に誤りがなければ、映像情報再生部１０でフレーム同期信号ＦＳａの生成に用いられた垂直同期信号ＶＳａ及びフレーム番号ＦＮａと一致するものであるが、区別のため符号ＬＦＮａ及びＬＶＳａで表されている。
フレーム同期信号ＦＳａは、図８（ｄ）に示されるように、垂直同期信号の立ち上がり後に、５ＭＨｚのクロック（合成基準クロックＲＳａ）の１周期に、フレーム番号信号ＦＮａの１ビットが重畳されている。
【００５９】
このような信号から、フレーム同期信号分離部２０５が、分離により垂直同期信号ＬＶＳａ及びフレーム番号ＬＦＮａを生成する動作を、図９を用いて説明する。
図９に示されるフレーム同期信号分離部２０５は、フレーム同期信号ラッチ部２５１と、アクティブ期間検出部２５２と、フレーム番号抽出部２５３と、垂直同期信号復元部２５４とを有する。
【００６０】
フレーム同期信号ＦＳａは映像情報再生部１０から送信され、分離基準クロックＲＲｂはクロック発生部２０８から供給される。分離基準クロックＲＲｂとしては、例えば、４０ＭＨｚのクロックが使用される。
フレーム同期信号ラッチ部２５１は、フレーム同期信号ＦＳａを分離基準クロックＲＲｂでラッチして、フレーム同期信号ＦＳａの信号変化点を検出する。
【００６１】
映像情報再生部１０内のフレーム同期信号合成部１０４では５ＭＨｚの合成基準クロックＲＳａを用いてフレーム番号信号ＳＦＮａを生成しているため、その８倍の分離基準クロックＲｂでフレーム同期信号ＦＳａをラッチすることで、十分正確に信号の変化点を検出できる。これを、図１０（ａ）〜（ｅ）を用いて説明する。
【００６２】
図１０（ａ）は受信されたフレーム同期信号ＦＳａを示す。図１０（ｂ）は映像情報再生部２０内で発生される分離基準クロックＲＲｂ（４０ＭＨｚ）を示す。分離基準クロックＲＲｂの立ち上がりで、フレーム同期信号ＦＳａをラッチすることでラッチ後データＬＦＤａ（図１０（ｄ））を得る。
このラッチ後データＬＦＤａを波形として示すとラッチ後信号ＬＦＳａ（図１０（ｃ））となる。上記のラッチ後データＬＦＤａにおいて、１から０に変化したところを立ち下がり（図１０（ｄ）に符号ｔ６１で示す）、０から１に変化したところを立ち上がり（図１０（ｄ）に符号ｔ６２で示す）として検出することができる。
【００６３】
次に、ラッチにより得られたラッチ後データＬＦＤａ（図１０（ｄ）を元に、１垂直走査期間（例えば、垂直同期周波数６０Ｈｚの場合、約１６．６ｍｓの期間）の中で、最も長いロー期間の部分を、アクティブ期間検出部２５２で検出する。
【００６４】
以下、アクティブ期間検出部２５２の動作を図１１（ａ）〜（ｃ）を参照して説明する。図１１（ａ）及び（ｂ）では、図１０（ｄ）のラッチ後データＬＦＤａの値を信号波形ＬＦＳａで示しており、図１０（ｃ）のラッチ後信号ＬＦＳａと同じものであり、また図８（ｄ）のフレーム同期信号ＦＳａに対応する。
図１１（ａ）及び（ｂ）で、期間ｐ７１、ｐ７２、ｐ７３はそれぞれ図８（ｄ）の期間ｐ５１、ｐ５２、ｐ５３に対応する。アクティブ期間検出部２５２は、図１１（ａ）の各垂直走査期間においてフレーム同期信号ＬＦＳａが、最も長くローの状態を続ける部分を検出する。そのためには、例えば、各垂直走査期間に亘りラッチ後データＬＦＤａ（図１０（ｄ））を保持し、０が連続した回数を、各ロー期間において、０が連続した回数を比較し、連続回数が最も多いロー期間を最長ロー期間、したがって垂直同期信号アクティブ期間と判定する。
【００６５】
垂直同期信号のロー期間ｐ７１は、一般に１水平走査周期以上の長さがあり、数十μ秒以上のロー期間となる。一方、フレーム番号を重畳している部分ｐ７３は、５ＭＨｚのクロックに同期したパルス列で、１６ビットのデータを表すので、この期間は、０．２μ秒×１６、即ち３．２μ秒の長さを有する。
【００６６】
フレーム番号が０ｘ００００である場合には、フレーム番号を重畳している部分ｐ７３は、図１１（ｂ）に示すように、その全期間に亘りローとなるが、その長さは３．２μ秒であり、従って、フレーム番号を重畳している部分ｐ７３におけるロー期間部分は最も長い場合でも垂直同期信号のロー期間ｐ７１よりも短く、誤ってフレーム番号を重畳している部分ｐ７３を垂直同期信号のロー期間ｐ７１として検出することはない。
【００６７】
なお、上記のように、連続回数が最も多いロー期間を最長ロー期間、したがって垂直同期信号アクティブ期間と判定する代わりに、所定の長さ以上のロー期間を垂直同期信号アクティブ期間として検出することとしても良い。
【００６８】
次に、フレーム番号が重畳されている部分からフレーム番号を、図９のフレーム番号抽出部２５３で抽出乃至分離する。フレーム番号が重畳している部分ｐ７３は垂直同期信号アクティブ期間ｐ７１におけるローからハイに変化した後、所定の長さ、例えば１μ秒の間隔（ｐ７２）があいたあと、５ＭＨｚのクロックの１周期に各１ビットの情報が重畳されているので、フレーム番号抽出部２５３は、垂直同期信号アクティブ期間ｐ７１のローからハイに変化した部分から所定期間（１μ秒）経過した時点以降フレーム同期信号ラッチ部２５１でラッチされたデータをフレーム番号を表すものとみなし、フレーム番号を抽出する。
【００６９】
図１０（ｄ）に示すように、ラッチ後データＬＦＤａは、分離基準クロックＲＲｂ（４０ＭＨｚ）の各周期に１回得られるデータである。即ち、フレーム番号を分離するときの基準クロックＲＲｂは、４０ＭＨｚであり、一方、フレーム番号を重畳したときの基準クロックＲＳａは５ＭＨｚであるので、分離するときの基準クロックＲＲｂ（４０ＭＨｚ）で８クロックパルス周期が、重畳したときの１クロックパルス周期に相当する。
【００７０】
従って、分離時の８クロックパルス周期毎の、ラッチ後データＬＦＤａの状態を用いることで、重畳されたフレーム番号ＦＮａに対応するフレーム番号ＬＦＮａ（図１０（ｅ））を得ることができる。
例えば、図１０（ｄ）において、ラッチ後データＬＦＤａが１から０に変化したところ（図１０のｔ６１）から、０から１に変化するところ（図１０（ｄ）のｔ６２）の間は、０が８個並んでおり、５ＭＨｚのクロックに換算すると、１クロック期間中０であることが分かる。そこで、そのような連続した８個の０を１個の０に置き換える。
５ＭＨｚの１クロック周期に対応する、４０ＭＨｚの８クロック周期中にデータの値が変化する場合には、多数決でその値を判定するなどの処理を行う。
以上の処理により、４０ＭＨｚの１周期に１つの値を持つデータＬＦＤａから、８ＭＨｚの１周期に１つの値を持つデータＬＦＮａ（図１０（ｅ））が得られる。
【００７１】
以上の処理により、フレーム番号ＬＦＮａ（を表すデータ）が再生される。再生されたフレーム番号ＬＦＮａは、映像情報再生部１０のフレーム同期信号合成部１０５で合成に用いられたフレーム番号ＦＮａと一致するはずのものである。
フレーム番号抽出部２５３は上記のようにフレーム番号を示すデータＬＦＮａを出力するとともに、フレーム番号が重畳された期間ｐ７３を示す信号を出力する。
【００７２】
垂直同期信号復元部２５４では、フレーム番号抽出部２５３からフレーム番号が重畳されている期間ｐ７３を示す信号を受け、フレーム同期信号ラッチ部２５１から出力されたラッチ後データのうちのフレーム番号が重畳された期間ｐ７３の値をすべて１（ハイレベルを表す）に戻し、それにより垂直同期信号ＬＶＳａ（図１１（ｃ））を再生する。再生された垂直同期信号ＬＶＳａは、映像情報再生部１０のフレーム同期信号合成部１０５で合成に用いられた垂直同期信号ＶＳａと一致するはずのものである。
【００７３】
次に、フレーム番号生成部２０３で生成されたフレーム番号ＦＮｂ及び垂直同期信号ＶＳｂと、フレーム同期信号分離部２０５で分離により再生されたフレーム番号ＬＦＮａ及び垂直同期信号ＬＶＳａを用いて、図１のクロック制御部２０６で、フレーム番号の比較及び垂直同期信号の発生のタイミングの比較を行う。
【００７４】
まず、フレーム番号の比較は、垂直同期信号ＶＳｂが、ハイからローに変化した時点で行う。フレーム番号生成部２０３は、図１２（ｃ）に示されるように垂直同期信号ＶＳｂがハイからローに変化した時点で、フレーム番号ＦＮｂのカウントアップを行うが、クロック制御部２０６は、このカウントアップ後のフレーム番号ＦＮｂを比較に用いても良く、カウントアップ前のフレーム番号ＦＮｂを比較に用いても良い。
【００７５】
即ち、図１２（ａ）に示すように、フレーム同期信号ＬＦＳａの、ある垂直走査期間のフレーム番号重畳期間ｐ７３から抽出乃至分離されたフレーム番号ＬＦＮａを、図１２（ｂ）に示されるフレーム同期信号ＦＳｂに含まれる垂直同期信号ＶＳｂが次にハイからローに変化する時点まで保持し、その時点においてフレーム番号生成部２０３から出力されているフレーム番号ＦＮｂ（カウントアップ前又はカウントアップ後の値）と比較する。
フレーム番号ＬＦＮａの保持は、フレーム番号抽出部２５３内で行っても良いが、以下ではクロック制御部２０６で行うものとして説明する。
クロック制御部２０６では、フレーム番号の比較とともに、垂直同期信号の発生のタイミングの比較を行う。この比較は、例えば、垂直同期信号の立下りのタイミングを示すデータ（例えばクロックカウンタによるカウント値）を比較することで行われる。
【００７６】
上記の処理の流れを、図１３を用いて説明する。
図１３において、まず、ステップＳＴ１において、垂直同期信号ＶＳｂのハイからローへの変化を検出する。
次に、その時点で、フレーム番号生成部２０３から出力されているフレーム番号ＦＮｂを読み出し（ステップＳＴ２）、それとともに、その時点でフレーム同期信号分離部２０５から出力され、保持されているフレーム番号ＬＦＮａを読み出す（ステップＳＴ３）。ステップＳＴ２におけるフレーム番号ＦＮｂの読み出しとともに、デコーダ２０１から垂直同期信号ＶＳｂの発生のタイミングを示すデータを取得し、ステップＳＴ３におけるこのフレーム番号ＬＦＮａの読み出しとともに、該フレーム番号ＬＦＮａが含まれていたフレーム同期信号ＬＦＳａから復元された垂直同期信号ＬＶＳａの発生のタイミングを示すデータをフレーム同期信号分離部２０５から取得する。
【００７７】
次にステップＳＴ４で、フレーム番号ＦＮｂとフレーム番号ＬＦＮａとを比較し、フレーム番号ＦＮｂがフレーム番号ＬＦＮａよりも大きければステップＳＴ６に進み、フレーム番号ＦＮｂがフレーム番号ＬＦＮａよりも小さければステップＳＴ７に進み、フレーム番号ＦＮｂがフレーム番号ＬＦＮａと同じであれば、ステップＳＴ５に進む。
【００７８】
ステップＳＴ５では、垂直同期信号ＶＳｂと垂直同期信号ＬＶＳａとを比較し、垂直同期信号ＶＳｂが垂直同期信号ＬＶＳａに対して進んでいるのであれば、ステップＳＴ６に進み、垂直同期信号ＶＳｂが垂直同期信号ＬＶＳａに対して遅れているのであれば、ステップＳＴ７に進み、垂直同期信号ＶＳｂの発生のタイミングと垂直同期信号ＬＶＳａのタイミングが一致していれば、ステップＳＴ８に進む。
【００７９】
ステップＳＴ６では、クロック発生部２０８から出力されるクロック（これには、デコーダ２０１に供給されるクロックが含まれる）を遅らせる（周波数を低くする）処理を行う。
ステップＳＴ７では、クロック発生部２０８から出力されるクロックを速める（周波数を高くする）処理を行う。
ステップＳＴ８では、クロック発生２０８から出力されるクロックをそれまでと同じ値に維持する（変更しない）。
【００８０】
以上のように、ステップＳＴ４及びＳＴ５で、フレーム番号ＬＦＮａとフレーム番号ＦＮｂの比較、並びに垂直同期信号ＬＶＳａと垂直同期信号ＶＳｂの発生のタイミングの比較を行い、フレーム番号ＦＮｂがフレーム番号ＬＦＮａよりも小さい場合、並びにフレーム番号ＦＮｂがフレーム番号ＬＦＮａと同じで、かつ垂直同期信号ＶＳｂが垂直同期信号ＬＶＳａに対して進んでいる場合には、ステップＳＴ６で、クロック発生部２０８から出力されるクロックの周波数を低くする。一方、フレーム番号ＦＮｂがフレーム番号ＬＦＮａよりも大きい場合、並びにフレーム番号ＦＮｂがフレーム番号ＬＦＮａと同じで、かつ垂直同期信号ＶＳｂが垂直同期信号ＬＶＳａに対して遅れている場合には、ステップＳＴ７で、クロック発生部２０８から出力されるクロックの周波数を高くする。フレーム番号ＦＮｂがフレーム番号ＬＦＮａと同じで、かつ垂直同期信号ＶＳｂの発生のタイミングが垂直同期信号ＬＶＳａの発生のタイミングに一致している場合には、ステップＳＴ８で、クロック発生部２０８から出力されるクロックの周波数をそれまでと同じ値に維持する（変更させない）。
【００８１】
ステップＳＴ６乃至ＳＴ８の処理のため、クロック制御部２０６は、クロック発生部２０８にクロックを速めるか、遅らせるか、それまでと同じ値に維持するかを示すクロック制御信号ＡＣｂを供給し、クロック発生部２０８はクロック制御信号ＡＣｂに応じて発生するクロックの周波数を制御する。
上記のように、クロック発生部２０８として、電圧制御水晶発振器が用いられる場合、一般に電圧制御水晶発振器の周波数の変更範囲は、±１００ｐｐｍ程度であるため、周波数を変更する場合にも、垂直同期信号のタイミングの調整は徐々に行われる。例えば、ずれが大きい場合には、次のフレームで一致するように一気に調整されるわけではなく、複数のフレームに亘り、少しずつずれを小さくしていく。
なお、上記の例では、垂直同期信号ＶＳｂ、ＬＶＳａの立下りのタイミングを示すデータを取得して、これらに基づいて比較を行うこととしているが、図１１（ｃ）に示される波形の垂直同期信号ＬＶＳａをフレーム同期信号分離部２０５からクロック制御部２０６に供給し、図８(ｃ)に示されるのと同様の波形を有する垂直同期信号ＶＳｂをデコーダ２０１からクロック制御部２０６に供給し、クロック制御部２０６内の位相比較回路（図示しない）で、供給された垂直同期信号ＬＶＳａと垂直同期信号ＶＳｂを位相比較することとしても良い。
【００８２】
このように構成することで、同じコンテンツデータＣＮＴを入力としている映像情報再生部１０及び２０において、映像情報再生部１０のデコーダ１０１でデコードしている映像のフレーム番号と垂直同期信号と、映像情報再生部２０のデコーダ２０１でデコードしている映像のフレーム番号と垂直同期信号とを比較して、２つの映像の同期を取るので、映像表示のタイミングのずれが発生するのを防止し、品位の高い映像表示を行うことができる。
【００８３】
また、デコーダから出力され、表示のために使用されるデジタルビデオデータＶＤａ、ＶＤｂ、垂直同期信号ＶＳａ、ＶＳｂ、データイネーブル信号ＤＥａ、ＤＥｂを用いてフレーム番号を生成するので、汎用的なデコーダを使用することができる。
【００８４】
実施の形態２．
実施の形態１においては、一方の映像情報再生部１０がマスタとして動作し、フレーム同期信号ＦＳａを出力するように構成され、他方の映像情報再生部２０がスレーブとして動作し、フレーム同期信号ＦＳａを入力として、映像情報再生部１０で発生されたフレーム番号と垂直同期信号にタイミングをあわせるように構成されており、映像情報再生部１０と映像情報再生部２０は異なる構成を有するものとなっている。本発明の映像情報再生装置は、このような構成に限定されず、互いに同じ構成の映像情報再生部を複数個用意し、スイッチの切換え、或いは配線替えなどにより異なる動作状態にし、一方がマスタとして動作し、他方がスレーブとして動作するようにしても良い。
【００８５】
図１４は、実施の形態２の映像情報再生装置を示す。図示の映像情報再生装置は、第１の映像情報再生部１１と第２の映像情報再生部２１とを有し、これらはそれぞれネットワーク９０に接続され、ネットワーク９０を介してコンテンツデータＣＮＴが入力される。
【００８６】
図１４において、図１と同様の部材には同様の符号が付されている。
映像情報再生部１１は、図１の映像情報再生部１０と同様に、デコーダ１０１、デコーダ制御部１０２、フレーム番号生成部１０３、及びフレーム同期信号合成部１０４を有する。
【００８７】
図１４の映像情報再生部１１はさらに、フレーム同期信号分離部１０５、クロック制御部１０６、及びクロック発生部１１８を有する。
フレーム同期信号分離部１０５及びクロック制御部１０６は、図１における映像情報再生部２０のフレーム同期信号分離部２０５及びクロック制御部２０６と同様のものである。
クロック発生部１１８は、クロック制御信号ＡＣａによりその発振周波数が調整されるものであり、クロック発生部１１８から出力されるクロックに、デコード基準クロックＲＣａ及び４０ＭＨｚの分離基準クロックＲＲａが含まれる点で、図１における映像情報再生部２０のクロック発生部２０８と同じであるが、図１４のクロック発生部１１８は、図１における映像情報再生部１０のクロック発生部１０７と同様に、５ＭＨｚの合成基準クロックＲＳａをも発生する。
【００８８】
図１４の映像情報再生部１１はさらに、スイッチ１０９を有する。
【００８９】
映像情報再生部２１は、図１の映像情報再生部２０と同様に、デコーダ２０１、デコーダ制御部２０２、フレーム番号生成部２０３、フレーム同期信号分離部２０５、及びクロック制御部２０６を有する。
映像情報再生部２１はさらに、フレーム同期信号合成部２０４、クロック発生部２１８、及びスイッチ２０９を有する。
デコーダ２０１、デコーダ制御部２０２、フレーム番号生成部２０３、フレーム同期信号合成部２０４、フレーム同期信号分離部２０５、クロック制御部２０６、クロック発生部２１８、及びスイッチ２０９は、映像情報再生部１１のデコーダ１０１、デコーダ制御部１０２、フレーム番号生成部１０３、フレーム同期信号合成部１０４、フレーム同期信号分離部１０５、クロック制御部１０６、クロック発生部１１８、及びスイッチ１０９とそれぞれ同様のものであり、同様の動作を行う。
【００９０】
表示部１５及び２５は、実施の形態１の表示部１５及び２５と同様のものであり、同様の動作を行う。
【００９１】
スイッチ１０９は、映像情報再生部２１のフレーム同期信号合成部２０４から出力され、信号線２１５を介して伝達されるフレーム同期信号ＦＳｂまたは固定レベルの信号Ｖｐのいずれかを選択して、フレーム同期信号分離部１０５に供給する。
スイッチ２０９は、映像情報再生部１１のフレーム同期信号合成部１０４から出力され、信号線１１５を介して伝達されるフレーム同期信号ＦＳａまたは固定レベルの信号Ｖｐのいずれかを選択して、フレーム同期信号分離部２０５に供給する。
スイッチ１０９が、固定レベルの信号Ｖｐを選択するように設定されているときは、スイッチ２０９は、フレーム同期信号ＦＳｂを選択するように設定され、これにより、映像情報再生部１１がマスタとして動作し、映像情報再生部２１がスレーブとして動作する。
スイッチ１０９が、フレーム同期信号ＦＳｂを選択するように設定されているときは、スイッチ２０９は、固定レベルの信号Ｖｐを選択するように設定され、これにより、映像情報再生部１１がスレーブとして動作し、映像情報再生部２１がマスタとして動作する。
上記の固定レベルの信号Ｖｐは例えばハイ固定信号である。ここで言うハイ固定信号は例えば高電位側電源ラインに接続することで得られる信号を意味する。
スイッチ１０９及び２０９の切換えは例えば手動で行われる。この場合、スイッチ１０９及び２０９の各々を手動で切り換えるようにしても良く、一つの切換指令を入力すればスイッチ１０９及び２０９が連動して動作するように構成されていても良い。
スイッチ１０９及び２０９の切換えは、例えば映像情報装置の設置の際に行われる。
【００９２】
なお、図１４に示される切換スイッチ１０９及び２０９の代わりに、図１５に示すように、信号の接続、非接続のためのスイッチ１１９、２１９を用いて、フレーム同期信号分離部１０５、２０５の入力端子が高電位側電源ラインＬＶｐに例えば抵抗素子Ｒｐを介して接続された構成とすれば、信号が非接続の場合には、フレーム同期信号分離部１０５、２０５の入力が固定レベルの信号となる。この場合、抵抗素子Ｒｐをフレーム同期信号分離部１０５、２０５に内蔵されたものとしても良い。
さらに、スイッチ１１９、２１９の代わりに単に信号線２１５、１１５をフレーム同期信号分離部１０５、２０５に接続するかどうかにより、即ち、配線替えにより、フレーム同期信号ＦＳｂ、ＦＳａの入力、非入力状態を切り替えるようにしても良い。
【００９３】
フレーム同期信号分離部１０５に固定レベルの信号Ｖｐが入力されている場合（映像情報再生部２１からフレーム同期信号ＦＳｂが入力されない場合）、フレーム同期信号分離部１０５は、フレーム番号や垂直同期信号を出力せず、所定の信号を出力する。
クロック制御部１０６は、フレーム同期信号分離部１０５からフレーム番号と垂直同期信号が送信されない場合は、フレーム番号の比較を行わず、クロック発生部１１８に対して、周波数の変更を要求しない（それまでの周波数を維持させる）クロック制御信号ＡＣａを出力する。クロック発生部１１８は周波数が固定されたクロックを出力する。
【００９４】
従って、フレーム同期信号分離部１０５に第２の映像情報再生部２１からのフレーム同期信号ＦＳｂが入力されていない場合には、映像情報再生部１１の全体的動作は、図１の映像情報再生部１０と同様である。
一方、第２の映像情報再生部２１からのフレーム同期信号ＦＳｂが入力されている場合は、フレーム同期信号分離部１０５は、図１のフレーム同期信号分離部２０５について説明したのと同様に動作し、従って、映像情報再生部１１の全体的動作は、図１の映像情報再生部２０と同様である。
【００９５】
フレーム同期信号分離部２０５の入力端子に固定レベルの信号Ｖｐが入力されている場合（映像情報再生部１１からフレーム同期信号ＦＳａが入力されない場合）、フレーム同期信号分離部２０５は、フレーム番号、垂直同期信号を出力せず、例えば所定の信号を出力する。
クロック制御部２０６は、フレーム同期信号分離部２０５からフレーム番号と垂直同期信号が送信されない場合は、フレーム番号の比較を行わず、クロック発生部２１８に対して、周波数の変更を要求しない（それまでの周波数を維持させる）クロック制御信号ＡＣｂを出力する。
【００９６】
従って、フレーム同期信号分離部２０５に、第１の映像情報再生部１１からのフレーム同期信号ＦＳａが入力されていない場合には、映像情報再生部２１の全体的動作は、図１の映像情報再生部１０と同様である。
一方、第１の映像情報再生部１１からのフレーム同期信号ＦＳａが入力されている場合は、フレーム同期信号分離部２０５の動作は、図１のフレーム同期信号分離部２０５について説明したのと同様に動作し、従って、映像情報再生部２１の全体的動作は、図１の映像情報再生部２０と同様である。
【００９７】
なお、映像情報再生部１１のフレーム同期信号分離部１０５の入力端子に固定レベルの信号Ｖｐが入力されている場合には、映像情報再生部２１においては、フレーム同期信号合成部２０４から出力されるフレーム同期信号ＦＳｂは使用されない。
逆に、映像情報再生部２１のフレーム同期信号分離部２０５の入力端子に固定レベルの信号Ｖｐが入力されている場合には、映像情報再生部１１においては、フレーム同期信号合成部１０４から出力されるフレーム同期信号ＦＳａは使用されない。
【００９８】
このように、映像情報再生部１１と映像情報再生部２１は同じ構成を有し、その設定状態乃至接続状態を変更することにより、異なる動作をし、一方が、マスタとして動作し、他方がスレーブとして動作する。
【００９９】
なお、上記の構成例では、マスタとして動作する映像情報再生部、例えば映像情報再生部１１においては、フレーム同期信号分離部１０５への信号入力端子には固定レベルの信号Ｖｐが入力されるようにしているが、同じ映像情報再生部１１内のフレーム同期信号合成部１０４から出力されるフレーム同期信号ＦＳａをフレーム同期信号分離部１０５に入力するように構成してもよい。この場合、フレーム同期信号分離部１０５には、フレーム同期信号ＦＳａが基準となるフレーム同期信号として入力されるため、該フレーム同期信号ＦＳａに含まれるフレーム番号と垂直同期信号がフレーム同期信号分離部１０５から出力されるが、これらは、フレーム番号生成部１０３で生成されるフレーム番号と、デコーダ１０１で出力される垂直同期信号と同じであるから、クロック制御部１０６では、フレーム番号は一致し、垂直同期信号のずれはないと判定し、クロック発生部１１８に周波数の変更を要求しないクロック制御信号ＡＣａを送信する。
このため、クロック発生部１１８は周波数が固定されたクロックを出力する。
【０１００】
映像情報再生部を以上のように構成することによって、それぞれの映像情報再生部の構成を同一にすることができる。また、配線替えによってフレーム同期信号分離部の入力端子の信号を定める場合にも、同一の映像情報再生部を用意すれば良いため、映像情報再生装置の構築を単純にすることができる。
また、マスタとして動作する映像情報再生部（１１）においては、フレーム同期信号分離部（１０５）に他方の映像情報再生部（２１）からのフレーム同期信号が入力されないように構成しても良く、または、同じ映像情報再生部内のフレーム同期信号合成部からのフレーム同期信号をフレーム同期信号分離部に入力するようにしても良い。
このようにすることで、マスタとして動作する映像情報再生部の表示に、他の、スレーブとして動作する映像情報再生部の表示を同期させることができる。
【０１０１】
実施の形態３．
実施の形態１において、フレーム番号生成部１０３は、デコード開始信号ＤＢａに基づき、デコードが開始されたことを認識した後、垂直同期信号ＶＳａがローからハイになったときから、次の有効になるまでの１フレーム間、データイネーブル信号ＤＥａに基づいてデジタルビデオデータＶＤａの有効データ（データイネーブル信号ＤＥａにより有効であることが示される期間（有効期間）中のデータ）を読み取り、このとき、有効データが、０以外の値になった画素の数が、閾値Ｃｔａ以上になったときに、映像に変化があった、即ち、映像の表示が開始されたと判断するように構成したが、デジタルビデオデータのすべてのデータを読み取らなくてもよく、デジタルビデオデータが映像信号における赤色成分、緑色成分、青色成分を表すデジタルデータから成る場合、そのうちの一つのみを用いて判定を行っても良く、また、いずれかの一つの色成分またはそれぞれの色成分の最下位ビットのみに基づいて判定を行っても良い。
【０１０２】
最下位ビットのみに基づいて判定を行うことは、映像が変化したときに最も頻繁に変化するのは最下位ビットであることから、フレーム番号生成部１０３の構成を簡略化して、最小のデータ処理で映像の変化を判定できるという利点がある。
【０１０３】
また、実施の形態１では、フレーム番号生成部１０３は、デコード開始信号ＤＢａに基づき、デコードが開始されたことを認識した後、垂直同期信号ＶＳａが有効から無効（ローからハイ）になったときから、次の有効になるまでの１フレーム間、データイネーブル信号ＤＥａに基づいてデジタルビデオデータＶＤａの有効データが、初期値である０以外の値になった画素の数が、閾値Ｃｔａ以上になったときに、映像に変化があった、即ち、表示が開始されたと判断するよう構成したが、有効データの値が０以外の値を所定値（初期状態の値）として、該所定値以外になった画素の数をフレーム毎にカウントし、該カウント数が所定の閾値Ｃｔａ以上になったかどうかの判定を行っても良く、また各フレームの有効期間中における各画素のデータの値を初期状態における値として、各画素のデータの値が前フレームの同じ画素のデータの初期状態における値と異なるかどうかの判定を行い、データの値が異なる画素の数をフレーム毎にカウントし、その数が閾値Ｃｔａ以上になったどうかの判定を行っても良い。
いずれの場合にも、上記画素の数が閾値Ｃｔａ以上になったフレームを、映像に変化があったと判断し、該フレームを最初の映像と認識することとしても良い。
【０１０４】
各フレームにおける有効期間中における各画素のデータの値を初期状態の値とする場合には、フレーム番号生成部１０３を例えば図１６に示すように構成する。図１６に示されたフレーム番号生成部１０３は、図２に示されたフレーム番号生成部１０３と慨して同じであるが、フレームメモリ１３６が付加されており、画素値判定部１３２の代わりに比較判定部１３７を備える。
フレームメモリ１３６は、ゲート部１３１を通過した各フレームのデータを（初期状態の値として）１フレーム分記憶する。
フレームメモリ１３６に記憶されているデータの次のフレームのデータがゲート部１３１を介して供給されているとき、比較判定部１３７は、供給されている各画素のデータを、フレームメモリ１３１に記憶されている１フレーム前の同じ画素と画素値と比較し、異なっていればそのことを示す信号（例えば１を表す信号）を出力する。
画素カウンタ１３３は、比較判定部１３７から、上記の画素値が異なっていることを示す信号が発生された回数をカウントする。
比較部１３４では、各フレームにおける画素カウンタ１３３のカウント値が所定値Ｃｔａ以上になったら、映像に変化があった、即ち、表示が開始されたと判断する。
【０１０５】
各フレームにおける画素カウンタ１３３のカウント値が所定値Ｃｔａ以上に達しなかった場合には、上記と同様の処理が繰り返される。
上記の処理のため、ゲート部１３１を通過した各画素のデータは、比較判定部１３７に供給されて上記のように画素の比較に用いられるとともに、フレームメモリ１３１にも供給されて書き換えが行われ、書き換えられたデータは、次のフレームについて画素値の変化があったかどうかの判定の際に初期状態の値として用いられる。
【０１０６】
上記以外の点、即ちゲート部１３１、比較部１３４、及びフレームカウンタ１３５の動作は、実施の形態１で図２を参照して説明したのと同様である。
【０１０７】
実施の形態４．
実施の形態２では、２つの映像情報再生部１１及び２１を接続して同期させる例を説明したが、実施の形態４では、さら２つの映像情報再生部３１及び４１を接続して、４つの表示部１５、２５、３５及び４５で大画面表示装置を構成した場合、例えば４つの表示部を縦横２台ずつ並べて、大画面表示装置を構成した例を説明する。
【０１０８】
図１７は、映像情報再生部１１、２１、３１、及び４１を接続した、２×２の大画面表示装置の構成を示す。映像情報再生部１１、２１、３１、及び４１から、それぞれ対応する表示部１５、２５、３５及び４５にデジタルビデオデータ、垂直同期信号、水平同期信号及びデータイネーブル信号を含むデジタルビデオ信号ＤＶＳａ、ＤＶＳｂ、ＤＶＳｃ、ＤＶＳｄが供給される。
【０１０９】
映像情報再生部１１、２１、３１、及び４１の各々は、実施の形態２に関し図１４、図１５などを参照して説明した映像情報再生部１１、２１の各々と同様に構成されている。
【０１１０】
映像情報再生部１１のフレーム同期信号分離部（例えば、図１４に示されるフレーム同期信号分離部１０５と同様のもの。以下同様）の入力端子には固定レベルの信号Ｖｐが入力され、
映像情報再生部１１のフレーム同期信号合成部（例えば、図１４に示されるフレーム同期信号合成部１０４と同様のもの。以下同様）から出力されるフレーム同期信号ＦＳａを、映像表示情報再生部２１のフレーム同期信号分離部に入力し、
映像情報再生部２１のフレーム同期信号合成部から出力されるフレーム同期信号ＦＳｂを、映像表示情報再生部３１のフレーム同期信号分離部に入力し、
映像情報再生部３１のフレーム同期信号合成部から出力されるフレーム同期信号ＦＳｃを、映像表示情報再生部４１のフレーム同期信号分離部に入力し、
映像情報再生部２１を、映像表示情報再生部１１から出力されるフレーム同期信号ＦＳａに同期するように動作させ、
映像情報再生部３１を、映像表示情報再生部２１から出力されるフレーム同期信号ＦＳｂに同期するように動作させ、
映像情報再生部４１を、映像表示情報再生部３１から出力されるフレーム同期信号ＦＳｃに同期するように動作させることとしている。
この場合、映像情報再生部２１は、映像情報再生部１１に対してスレーブであるとともに、映像情報再生部３１に対してはマスタであり、映像情報再生部３１は、映像情報再生部２１に対してスレーブであるとともに、映像情報再生部４１に対してはマスタである。
【０１１１】
上記のように構成することにより、すべての映像情報再生部１１、２１、３１、及び４１が同期するようになる。
表示部１５は、映像情報再生部１１から出力されるデジタルビデオ信号ＤＶＳａに基づく表示を行い、表示部２５は映像情報再生部２１から出力されるデジタルビデオ信号ＤＶＳｂに基づく表示を行い、表示部３５は、映像情報再生部３１から出力されるデジタルビデオ信号ＤＶＳｃに基づく表示を行い、表示部４５は、映像情報再生部４１から出力されるデジタルビデオ信号ＤＶＳｄに基づく表示を行う。
このように構成することによって、４つの映像情報再生部を有する映像再生装置においても、各表示部における表示の同期を取ることができる。
【０１１２】
なお、映像情報再生部１１、２１、３１、及び４１のうちの１つ、例えば映像情報再生部１１をマスタとして用い、他の映像情報再生部１１をスレーブとして用いる、即ち、他の映像情報再生部２１、３１及び４１がいずれも映像情報再生部１１から出力されるフレーム同期信号ＦＳａを入力とし、該フレーム同期信号ＦＳａに、各々の内部で生成されるフレーム同期信号ＦＳｂ、ＦＳｃ、ＦＳｄが同期するように構成しても良い。
【０１１３】
ネットワーク９０を介して、同じコンテンツを４つの映像情報再生部１１、２１、３１、及びに供給してそれぞれの４つの表示部１５、２５、３５、及び４５に表示させる場合には、４つの表示部１５、２５、３５、及び４５に表示される映像の変化が同じであるため、各映像情報再生部内のフレーム番号生成部（例えば、図１４に示されるフレーム番号生成部１０３と同様のもの）は、同じタイミングでフレーム番号をカウントし始め、同期をあわせることができる。
【０１１４】
しかしながら、４つの表示部１５、２５、３５、及び４５で表示する映像が異なる場合がある。例えば、２×２の大画面表示において、４つの表示部１５、２５、３５、及び４５の各々で、１つのまとまりのある映像の１／４ずつを表示する場合である。この場合４つの映像情報再生部１１、２１、３１、及び４１の各々には、映像の左上部分のデータ、右上部分のデータ、左下部分のデータ、及び右下部分のデータを送信し、それぞれの表示部１５、２５、３５、及び４５が表示するように構成する必要がある。
【０１１５】
また、例えば、図１８に示すように、右上部分のデータ、及び右下部分のデータが、黒画（画素値が画面の全体に亘り０）で開始する場合もある。
この場合、黒画で開始するコンテンツについては、最初の映像に黒画以外の映像を挿入し、挿入した映像を初期状態の映像として、実施の形態３で説明したように、各フレームにおいて前のフレームとは有効期間中のデータが異なる画素の数に基づいてコンテンツの映像の開始を検出する構成とすることで、同期あわせを行うことができる。
【０１１６】
例えば、右上、右下の表示部２５、４５のコンテンツ映像の最初の１フレームの前に、表示画面の目立たない箇所、例えば画面の縁の部分にデジタルビデオデータの最下位ビットが１になるような映像を挿入することで、フレーム番号生成部はフレーム番号のカウントを開始することができ、黒画のコンテンツでも、同期あわせを行うことができる。
【０１１７】
複数の映像情報再生部で映像情報再生装置を構成する場合、映像情報再生部の数が、実施の形態２では「２」、実施の形態４では「４」であるが、映像情報再生部の数は、「２」、「４」に限らない。「２」、「４」以外の場合にも、任意の一対の映像情報再生部の一方をマスタとし、他方をスレーブとするように接続を行えば良い。
【符号の説明】
【０１１８】
１０、１１、２０、２１、３１、４１  映像情報再生部、  １５、２５、３５、４５  表示部、  １０１、２０１  デコーダ、  １０２、２０２  デコーダ制御部、  １０３、２０３  フレーム番号生成部、  １０４、２０４  フレーム同期信号合成部、  １０５、２０５  フレーム同期信号分離部、  １０６、２０６  クロック制御部、  １０７、１１８、２０８、２１８  クロック発生部。
【図１】
2012153434.tif 000003
【図２】
2012153434.tif 000004
【図３】
2012153434.tif 000005
【図４】
2012153434.tif 000006
【図５】
2012153434.tif 000007
【図６】
2012153434.tif 000008
【図７】
2012153434.tif 000009
【図８】
2012153434.tif 000010
【図９】
2012153434.tif 000011
【図１０】
2012153434.tif 000012
【図１１】
2012153434.tif 000013
【図１２】
2012153434.tif 000014
【図１３】
2012153434.tif 000015
【図１４】
2012153434.tif 000016
【図１５】
2012153434.tif 000017
【図１６】
2012153434.tif 000018
【図１７】
2012153434.tif 000019
【図１８】
2012153434.tif 000020
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
デコード基準クロック信号を発生するクロック発生部と、
前記クロック発生部から供給される前記デコード基準クロック信号と、映像を含むコンテンツデータを入力とし、デジタルビデオデータ、垂直同期信号、水平同期信号、及びビデオクロックを出力し、また、前記コンテンツデータに対するデコードを開始したことを知らせるデコード開始信号を出力するデコーダと、
前記デジタルビデオデータ、前記垂直同期信号、及び前記ビデオクロックと、前記デコード開始信号を入力とし、前記デコード開始信号によってデコードが開始されたことを認識した後に、前記デジタルビデオデータの変化に基づき、映像の表示が開始されたことを認識し、前記垂直同期信号に基づきフレーム番号を生成するフレーム番号生成部と、
前記フレーム番号生成部で生成された前記フレーム番号と、前記デコーダから出力された前記垂直同期信号を合成してフレーム同期信号を出力するフレーム同期信号合成部と、
基準となるフレーム同期信号又は固定レベルの信号を入力とし、
前記基準となるフレーム同期信号が入力されたときは、当該入力されたフレーム同期信号を分離して基準となる垂直同期信号と基準となるフレーム番号とを出力するフレーム同期信号分離部と、
前記フレーム番号生成部で生成された前記フレーム番号と、前記フレーム同期信号分離部から出力された前記フレーム番号とを比較し、さらに、前記デコーダから出力された前記垂直同期信号と、前記フレーム同期信号分離部から出力された前記垂直同期信号の発生のタイミングを比較し、比較結果に基づき、クロック制御信号を発生するクロック制御部とを有し、
前記クロック発生部は、前記クロック制御部から出力される前記クロック制御信号に基づき、前記デコード基準クロック信号の周波数を調整する
ことを特徴とする映像情報再生部。
【請求項２】
請求項１に記載の映像情報再生部を複数個備え、
前記複数個の映像情報再生部のうちの一つである第１の映像情報再生部の前記フレーム同期信号合成部が出力する前記フレーム同期信号を、前記複数個の映像情報再生部の他のものである第２の映像情報再生部の前記フレーム同期信号分離部に、前記基準となる前記フレーム同期信号として入力するように構成した
ことを特徴とする映像情報再生装置。
【請求項３】
前記複数個の映像情報再生部の各々の前記フレーム同期信号分離部に前記固定レベルの信号が入力された場合、前記フレーム同期信号分離部は、所定の信号を出力し、
前記複数個の映像情報再生部の各々の前記クロック制御部は、当該映像情報再生部の前記フレーム同期信号分離部が前記所定の信号を出力した場合には、前記クロック制御信号として、前記クロック発生部に、前記クロックの周波数を維持させるための信号を出力する
ことを特徴とする
請求項２に記載の映像情報再生装置。
【請求項４】
前記フレーム番号生成部は、前記デコーダから出力されるデジタルビデオデータが、初期状態に対して変化したときに前記デコード開始後の最初のフレームと判断することを特徴とする請求項１に記載の映像情報再生部。
【請求項５】
前記フレーム番号生成部は、前記デコーダから出力されるデジタルビデオデータの初期状態を記憶し、前記デコーダから出力されるデジタルビデオデータが前記記憶された初期状態に対して変化したときに前記デコード開始後の最初のフレームと判断する
ことを特徴とする請求項１に記載の映像情報再生部。
【請求項６】
前記デジタルビデオデータが映像の赤色成分、緑色成分、及び青色成分を表すデジタルデータを含み、
前記フレーム番号生成部は、前記デコーダから出力される前記赤色成分、緑色成分、及び青色成分のデジタルデータのうちの少なくとも一つの、最下位ビットのみに基づいて前記デジタルビデオデータの変化の有無を判断することを特徴とする請求項４又は５に記載の映像情報再生部。
【請求項７】
前記第１の映像情報再生部の前記フレーム同期信号合成部が出力するフレーム同期信号を、前記第１の映像情報再生部の前記フレーム同期信号分離部に前記基準となるフレーム同期信号として入力し、
前記第１の映像情報再生部の前記フレーム同期信号分離部は、前記第１の映像情報再生部の前記フレーム同期信号合成部から入力されたフレーム同期信号を分離して、前記基準となるフレーム番号及び前記基準となる垂直同期信号を生成し、
前記第１の映像情報再生部の前記クロック制御部は、前記第１の映像情報再生部の前記フレーム番号生成部が出力した前記フレーム番号を、前記第１の映像情報再生部の前記フレーム同期信号分離部が出力した前記フレーム番号と比較し、前記第１の映像情報再生部の前記デコーダが出力した前記垂直同期信号と前記第１の映像情報再生部の前記フレーム同期信号分離部が出力した前記垂直同期信号の発生のタイミングを比較する
ことを特徴とする請求項２又は３に記載の映像情報再生装置。
【請求項８】
デコード基準クロック信号を発生するクロック発生部と、
前記クロック発生部から供給される前記デコード基準クロック信号と、映像を含むコンテンツデータを入力とし、デジタルビデオデータ、垂直同期信号、水平同期信号、及びビデオクロックを出力し、また、前記コンテンツデータに対するデコードを開始したことを知らせるデコード開始信号を出力するデコーダとを備える映像情報再生部を複数個備えた映像情報再生装置において、
前記複数個の映像情報再生部における映像の出力を同期させる同期制御方法において、
前記複数個の映像情報再生部の各々において、
前記デジタルビデオデータ、前記垂直同期信号、及び前記ビデオクロックと、前記デコード開始信号を入力とし、前記デコード開始信号によってデコードが開始されたことを認識した後に、前記デジタルビデオデータの変化に基づき、映像の表示が開始されたことを認識し、前記垂直同期信号に基づきフレーム番号を生成するフレーム番号生成ステップを実行し、
前記複数個の映像情報再生部のうちの一つである第１の映像情報再生部において、
前記フレーム番号生成ステップで生成された前記フレーム番号と、前記デコーダから出力された前記垂直同期信号を合成してフレーム同期信号を出力するフレーム同期信号合成ステップを実行し、
前記複数の映像情報再生部の他の一つである第２の映像情報再生部において、
前記第１の映像情報再生部における前記フレーム同期信号合成ステップで生成された前記フレーム同期信号を分離して垂直同期信号とフレーム番号とを生成するフレーム同期信号分離ステップと、
前記フレーム番号生成ステップで生成された前記フレーム番号と、前記フレーム同期信号分離ステップで生成された前記フレーム番号とを比較し、さらに、前記第２の映像情報再生部の前記デコーダから出力された前記垂直同期信号と、前記フレーム同期信号分離ステップで生成された前記垂直同期信号の発生のタイミングを比較し、比較結果に基づきクロック制御信号を発生するクロック制御ステップとを実行し、
前記第２の映像情報再生部の前記クロック発生部は、前記クロック制御ステップで生成された前記クロック制御信号に基づき、前記デコード基準クロック信号の周波数を調整する
同期制御方法。
【請求項９】
前記デジタルビデオデータが映像の赤色成分、緑色成分、及び青色成分を表すデジタルデータを含み、
前記第１及び第２の映像情報再生部の各々における前記フレーム番号生成ステップは、当該映像情報再生部の前記デコーダから出力される前記赤色成分、緑色成分、及び青色成分のデジタルデータのうちの少なくとも１つの、最下位ビットのみに基づいて前記デジタルビデオデータの変化の有無を判断する
ことを特徴とする請求項８に記載の同期制御方法。
【手続補正２】
【補正対象書類名】明細書
【補正対象項目名】００１０
【補正方法】変更
【補正の内容】
【００１０】
本発明の映像情報再生部は、
デコード基準クロック信号を発生するクロック発生部と、
前記クロック発生部から供給される前記デコード基準クロック信号と、映像を含むコンテンツデータを入力とし、デジタルビデオデータ、垂直同期信号、水平同期信号、及びビデオクロックを出力し、また、前記コンテンツデータに対するデコードを開始したことを知らせるデコード開始信号を出力するデコーダと、
前記デジタルビデオデータ、前記垂直同期信号、及び前記ビデオクロックと、前記デコード開始信号を入力とし、前記デコード開始信号によってデコードが開始されたことを認識した後に、前記デジタルビデオデータの変化に基づき、映像の表示が開始されたことを認識し、前記垂直同期信号に基づきフレーム番号を生成するフレーム番号生成部と、
前記フレーム番号生成部で生成された前記フレーム番号と、前記デコーダから出力された前記垂直同期信号を合成してフレーム同期信号を出力するフレーム同期信号合成部と、
基準となるフレーム同期信号又は固定レベルの信号を入力とし、
前記基準となるフレーム同期信号が入力されたときは、当該入力されたフレーム同期信号を分離して基準となる垂直同期信号と基準となるフレーム番号とを出力するフレーム同期信号分離部と、
前記フレーム番号生成部で生成された前記フレーム番号と、前記フレーム同期信号分離部から出力された前記フレーム番号とを比較し、さらに、前記デコーダから出力された前記垂直同期信号と、前記フレーム同期信号分離部から出力された前記垂直同期信号の発生のタイミングを比較し、比較結果に基づき、クロック制御信号を発生するクロック制御部とを有し、
前記クロック発生部は、前記クロック制御部から出力される前記クロック制御信号に基づき、前記デコード基準クロック信号の周波数を調整する
ことを特徴とする。
【手続補正３】
【補正対象書類名】明細書
【補正対象項目名】００２５
【補正方法】変更
【補正の内容】
【００２５】
デコーダ制御部２０２は、デコーダ２０１のデコード開始、停止の制御を行う。
表示部２５は、デジタルビデオ信号ＤＶＳｂを入力とし、映像を表示する。
【手続補正４】
【補正対象書類名】明細書
【補正対象項目名】００４１
【補正方法】変更
【補正の内容】
【００４１】
デコード開始直後は、デコーダ１０１はコンテンツデータの最初の映像をデコード処理しており、デジタルビデオデータＶＤａの出力は直ちにはできない（この期間が図６（ａ）に符号ｐ４２で示されている）。そのため、この期間ｐ４２中は、デコーダ１０１は、デジタルデータとして、初期値を出力する（図６（ｂ）のｄ４３）。一般にこのときの初期値としては０（信号レベルでは、全ビットロー）が出力される。即ち、初期状態では、デジタルデータにより表されるフレーム内の画素の値がすべて０である。
デコーダ１０１がデジタルビデオデータＶＤａを出力できるようになった後、有効な映像データ（入力されたコンテンツＣＮＴの内容を表すデータ）の出力が開始される（図６（ｂ）のｔ４５）。
【手続補正５】
【補正対象書類名】明細書
【補正対象項目名】００５６
【補正方法】変更
【補正の内容】
【００５６】
フレーム番号生成部２０３は、デコード開始信号ＤＢｂに基づき、デコードが開始されたことを認識した後、垂直同期信号ＶＳｂが有効から無効（ローからハイ）になった時点以降、次に有効（ハイ）になるまでの１フレームの間、データイネーブル信号ＤＥｂに基づいてデジタルビデオデータＶＤｂの有効データ（データイネーブル信号ＤＥｂにより有効であることが示される期間（有効期間）中のデータ）を読み取る。そして、各フレームにおいて有効データが０以外の値になった画素の数をカウントし、各フレーム期間中に、０以外の値になった画素の数が、所定の閾値Ｃｔｂ以上になったときに、映像に変化があった、即ち、映像の表示が開始されたと判断する。
なお、本例では、第２の表示部２５が第１の表示部１５と同じ画面サイズ（画面中の画素数）を有し、第２の映像情報再生部２０で用いられる閾値Ｃｔｂが、第１の映像情報再生部１０で用いられる閾値Ｃｔａと同じである場合を想定しているが、第２の表示部２５と第１の表示部１５とが画面サイズが異なる場合には、閾値Ｃｔｂが閾値Ｃｔａと異なっていても良い。
【手続補正６】
【補正対象書類名】明細書
【補正対象項目名】００６１
【補正方法】変更
【補正の内容】
【００６１】
映像情報再生部１０内のフレーム同期信号合成部１０４では５ＭＨｚの合成基準クロックＲＳａを用いてフレーム番号信号ＳＦＮａを生成しているため、その８倍の分離基準クロックＲＲｂでフレーム同期信号ＦＳａをラッチすることで、十分正確に信号の変化点を検出できる。これを、図１０（ａ）〜（ｅ）を用いて説明する。
【手続補正７】
【補正対象書類名】明細書
【補正対象項目名】００７０
【補正方法】変更
【補正の内容】
【００７０】
従って、分離時の８クロックパルス周期毎の、ラッチ後データＬＦＤａの状態を用いることで、重畳されたフレーム番号ＦＮａに対応するフレーム番号ＬＦＮａ（図１０（ｅ））を得ることができる。
例えば、図１０（ｄ）において、ラッチ後データＬＦＤａが１から０に変化したところ（図１０のｔ６１）から、０から１に変化するところ（図１０（ｄ）のｔ６２）の間は、０が８個並んでおり、５ＭＨｚのクロックに換算すると、１クロック期間中０であることが分かる。そこで、そのような連続した８個の０を１個の０に置き換える。
５ＭＨｚの１クロック周期に対応する、４０ＭＨｚの８クロック周期中にデータの値が変化する場合には、多数決でその値を判定するなどの処理を行う。
以上の処理により、４０ＭＨｚの１周期に１つの値を持つデータＬＦＤａから、５ＭＨｚの１周期に１つの値を持つデータＬＦＮａ（図１０（ｅ））が得られる。
【手続補正８】
【補正対象書類名】明細書
【補正対象項目名】００７１
【補正方法】変更
【補正の内容】
【００７１】
以上の処理により、フレーム番号ＬＦＮａ（を表すデータ）が再生される。再生されたフレーム番号ＬＦＮａは、映像情報再生部１０のフレーム同期信号合成部１０４で合成に用いられたフレーム番号ＦＮａと一致するはずのものである。
フレーム番号抽出部２５３は上記のようにフレーム番号を示すデータＬＦＮａを出力するとともに、フレーム番号が重畳された期間ｐ７３を示す信号を出力する。
【手続補正９】
【補正対象書類名】明細書
【補正対象項目名】００７２
【補正方法】変更
【補正の内容】
【００７２】
垂直同期信号復元部２５４では、フレーム番号抽出部２５３からフレーム番号が重畳されている期間ｐ７３を示す信号を受け、フレーム同期信号ラッチ部２５１から出力されたラッチ後データのうちのフレーム番号が重畳された期間ｐ７３の値をすべて１（ハイレベルを表す）に戻し、それにより垂直同期信号ＬＶＳａ（図１１（ｃ））を再生する。再生された垂直同期信号ＬＶＳａは、映像情報再生部１０のフレーム同期信号合成部１０４で合成に用いられた垂直同期信号ＶＳａと一致するはずのものである。
【手続補正１０】
【補正対象書類名】明細書
【補正対象項目名】００８０
【補正方法】変更
【補正の内容】
【００８０】
以上のように、ステップＳＴ４及びＳＴ５で、フレーム番号ＬＦＮａとフレーム番号ＦＮｂの比較、並びに垂直同期信号ＬＶＳａと垂直同期信号ＶＳｂの発生のタイミングの比較を行い、フレーム番号ＦＮｂがフレーム番号ＬＦＮａよりも大きい場合、並びにフレーム番号ＦＮｂがフレーム番号ＬＦＮａと同じで、かつ垂直同期信号ＶＳｂが垂直同期信号ＬＶＳａに対して進んでいる場合には、ステップＳＴ６で、クロック発生部２０８から出力されるクロックの周波数を低くする。一方、フレーム番号ＦＮｂがフレーム番号ＬＦＮａよりも小さい場合、並びにフレーム番号ＦＮｂがフレーム番号ＬＦＮａと同じで、かつ垂直同期信号ＶＳｂが垂直同期信号ＬＶＳａに対して遅れている場合には、ステップＳＴ７で、クロック発生部２０８から出力されるクロックの周波数を高くする。フレーム番号ＦＮｂがフレーム番号ＬＦＮａと同じで、かつ垂直同期信号ＶＳｂの発生のタイミングが垂直同期信号ＬＶＳａの発生のタイミングに一致している場合には、ステップＳＴ８で、クロック発生部２０８から出力されるクロックの周波数をそれまでと同じ値に維持する（変更させない）。
【手続補正１１】
【補正対象書類名】明細書
【補正対象項目名】００９１
【補正方法】変更
【補正の内容】
【００９１】
スイッチ１０９は、映像情報再生部２１のフレーム同期信号合成部２０４から出力され、信号線２１５を介して伝達されるフレーム同期信号ＦＳｂまたは固定レベルの信号Ｖｐのいずれかを選択して、フレーム同期信号分離部１０５に供給する。
スイッチ２０９は、映像情報再生部１１のフレーム同期信号合成部１０４から出力され、信号線１１５を介して伝達されるフレーム同期信号ＦＳａまたは固定レベルの信号Ｖｐのいずれかを選択して、フレーム同期信号分離部２０５に供給する。
スイッチ１０９が、固定レベルの信号Ｖｐを選択するように設定されているときは、スイッチ２０９は、フレーム同期信号ＦＳａを選択するように設定され、これにより、映像情報再生部１１がマスタとして動作し、映像情報再生部２１がスレーブとして動作する。
スイッチ１０９が、フレーム同期信号ＦＳｂを選択するように設定されているときは、スイッチ２０９は、固定レベルの信号Ｖｐを選択するように設定され、これにより、映像情報再生部１１がスレーブとして動作し、映像情報再生部２１がマスタとして動作する。
上記の固定レベルの信号Ｖｐは例えばハイ固定信号である。ここで言うハイ固定信号は例えば高電位側電源ラインに接続することで得られる信号を意味する。
スイッチ１０９及び２０９の切換えは例えば手動で行われる。この場合、スイッチ１０９及び２０９の各々を手動で切り換えるようにしても良く、一つの切換指令を入力すればスイッチ１０９及び２０９が連動して動作するように構成されていても良い。
スイッチ１０９及び２０９の切換えは、例えば映像情報装置の設置の際に行われる。
【手続補正１２】
【補正対象書類名】明細書
【補正対象項目名】０１０４
【補正方法】変更
【補正の内容】
【０１０４】
各フレームにおける有効期間中における各画素のデータの値を初期状態の値とする場合には、フレーム番号生成部１０３を例えば図１６に示すように構成する。図１６に示されたフレーム番号生成部１０３は、図２に示されたフレーム番号生成部１０３と慨して同じであるが、フレームメモリ１３６が付加されており、画素値判定部１３２の代わりに比較判定部１３７を備える。
フレームメモリ１３６は、ゲート部１３１を通過した各フレームのデータを（初期状態の値として）１フレーム分記憶する。
フレームメモリ１３６に記憶されているデータの次のフレームのデータがゲート部１３１を介して供給されているとき、比較判定部１３７は、供給されている各画素のデータを、フレームメモリ１３６に記憶されている１フレーム前の同じ画素の画素値と比較し、異なっていればそのことを示す信号（例えば１を表す信号）を出力する。
画素カウンタ１３３は、比較判定部１３７から、上記の画素値が異なっていることを示す信号が発生された回数をカウントする。
比較部１３４では、各フレームにおける画素カウンタ１３３のカウント値が所定値Ｃｔａ以上になったら、映像に変化があった、即ち、表示が開始されたと判断する。
【手続補正１３】
【補正対象書類名】明細書
【補正対象項目名】０１０５
【補正方法】変更
【補正の内容】
【０１０５】
各フレームにおける画素カウンタ１３３のカウント値が所定値Ｃｔａ以上に達しなかった場合には、上記と同様の処理が繰り返される。
上記の処理のため、ゲート部１３１を通過した各画素のデータは、比較判定部１３７に供給されて上記のように画素の比較に用いられるとともに、フレームメモリ１３６にも供給されて書き換えが行われ、書き換えられたデータは、次のフレームについて画素値の変化があったかどうかの判定の際に初期状態の値として用いられる。
【手続補正１４】
【補正対象書類名】明細書
【補正対象項目名】０１１０
【補正方法】変更
【補正の内容】
【０１１０】
映像情報再生部１１のフレーム同期信号分離部（例えば、図１４に示されるフレーム同期信号分離部１０５と同様のもの。以下同様）の入力端子には固定レベルの信号Ｖｐが入力され、
映像情報再生部１１のフレーム同期信号合成部（例えば、図１４に示されるフレーム同期信号合成部１０４と同様のもの。以下同様）から出力されるフレーム同期信号ＦＳａを、映像情報再生部２１のフレーム同期信号分離部に入力し、
映像情報再生部２１のフレーム同期信号合成部から出力されるフレーム同期信号ＦＳｂを、映像情報再生部３１のフレーム同期信号分離部に入力し、
映像情報再生部３１のフレーム同期信号合成部から出力されるフレーム同期信号ＦＳｃを、映像情報再生部４１のフレーム同期信号分離部に入力し、
映像情報再生部２１を、映像情報再生部１１から出力されるフレーム同期信号ＦＳａに同期するように動作させ、
映像情報再生部３１を、映像情報再生部２１から出力されるフレーム同期信号ＦＳｂに同期するように動作させ、
映像情報再生部４１を、映像情報再生部３１から出力されるフレーム同期信号ＦＳｃに同期するように動作させることとしている。
この場合、映像情報再生部２１は、映像情報再生部１１に対してスレーブであるとともに、映像情報再生部３１に対してはマスタであり、映像情報再生部３１は、映像情報再生部２１に対してスレーブであるとともに、映像情報再生部４１に対してはマスタである。
【手続補正１５】
【補正対象書類名】明細書
【補正対象項目名】０１１２
【補正方法】変更
【補正の内容】
【０１１２】
なお、映像情報再生部１１、２１、３１、及び４１のうちの１つ、例えば映像情報再生部１１をマスタとして用い、他の映像情報再生部２１、３１、４１をスレーブとして用いる、即ち、他の映像情報再生部２１、３１及び４１がいずれも映像情報再生部１１から出力されるフレーム同期信号ＦＳａを入力とし、該フレーム同期信号ＦＳａに、各々の内部で生成されるフレーム同期信号ＦＳｂ、ＦＳｃ、ＦＳｄが同期するように構成しても良い。
【手続補正１６】
【補正対象書類名】明細書
【補正対象項目名】０１１３
【補正方法】変更
【補正の内容】
【０１１３】
ネットワーク９０を介して、同じコンテンツを４つの映像情報再生部１１、２１、３１、及び４１に供給してそれぞれの４つの表示部１５、２５、３５、及び４５に表示させる場合には、４つの表示部１５、２５、３５、及び４５に表示される映像の変化が同じであるため、各映像情報再生部内のフレーム番号生成部（例えば、図１４に示されるフレーム番号生成部１０３と同様のもの）は、同じタイミングでフレーム番号をカウントし始め、同期をあわせることができる。
【手続補正１７】
【補正対象書類名】図面
【補正対象項目名】図７
【補正方法】変更
【補正の内容】
【図７】
2012153434.tif 000021
【国際調査報告】
2012153434.tif 000022
2012153434.tif 000023
2012153434.tif 000024
2012153434.tif 000025